(57)【要約】【課題】各種複数の対象項目どうしを自由に連繋させつつ、それら対象項目どうしの関係を表示した関係図表を作成することができる関係図表作成システムを提供する。【解決手段】関係図表作成システムは、連繋データを参照しつつ関係線を介してそれら対象項目どうしを一連につなげることで、同一の対象項目を含む各種複数の対象項目どうしの関係を表した関係図表を作成する関係図表作成手段と、関係図表作成手段を介して作成した関係図表を出力する関係図表出力手段とを有する。【選択図】図１
2009140203.tif 000002
【特許請求の範囲】
【請求項１】
各種複数の対象項目から形成された関係図表を作成する関係図表作成システムにおいて、
前記関係図表作成システムには、所定の対象項目番号が設定されたそれら対象項目を個別に識別可能な各種複数の対象項目識別情報を含む対象項目データと、それら対象項目どうしを結ぶとともに前記対象項目どうしの各種複数の関係内容を識別可能な関係線を含む関係内容データと、前記関係線によって連繋する任意の第１対象項目と任意の第２対象項目との連繋状態を含む連繋データとが格納され、
前記関係図表作成システムが、前記連繋データを参照しつつ前記関係線を介してそれら対象項目どうしを一連につなげることで、同一の対象項目を含む各種複数の対象項目どうしの関係を表した関係図表を作成する関係図表作成手段と、前記関係図表作成手段を介して作成した関係図表を出力する関係図表出力手段とを有することを特徴とする関係図表作成システム。
【請求項２】
前記関係図表作成システムが、前記関係図表を形成する対象項目の前記対象項目データをそれら対象項目毎に個別に出力する対象項目データ出力手段と、前記関係図表を形成する関係線の前記関係内容データをそれら関係線毎に個別に出力する関係内容データ出力手段と、前記関係図表を形成する対象項目どうしの前記連繋データを出力する連繋データ出力手段とを含む請求項１記載の関係図表作成システム。
【請求項３】
前記関係線には、前記第１対象項目から前記第２対象項目を指し示し、前記第１対象項目を関係元としつつ前記第２対象項目を関係先とする一方向関係線と、前記第１対象項目と前記第２対象項目との双方向を指し示す双方向関係線と、前記対象項目からその対象項目を指し示す回帰関係線とが含まれる請求項１または請求項２に記載の関係図表作成システム。
【請求項４】
前記関係図表作成手段では、前記第１対象項目のうちの前記関係元の存在しない第１対象項目を先頭に配置して前記関係図表を作成する請求項３記載の関係図表作成システム。
【請求項５】
前記関係図表作成手段では、前記第１対象項目のすべてに前記関係元が存在する場合、各種複数の関係内容のうちの一番多い関係内容によって連繋する第１対象項目と第２対象項目との中から前記連繋データに最初に表れる該第１対象項目を抽出し、抽出したその第１対象項目を先頭に配置して前記関係図表を作成する請求項３または請求項４に記載の関係図表作成システム。
【請求項６】
前記関係図表作成手段では、各種複数の関係図表が並列して存在する場合、各種複数の関係内容のうちの一番多い関係内容を有する関係図表を最先に配置する請求項３ないし請求項５いずれかに記載の関係図表作成システム。
【請求項７】
前記関係図表作成手段では、前記関係図表作成手段によって関係図表を作成した後、前記対象項目データの中から関係図表に含まれない関係図表外対象項目を抽出し、最先に抽出した関係図表外対象項目を先頭に配置しつつそれら関係図表外対象項目から形成された関係図表を作成する請求項３ないし請求項６いずれかに記載の関係図表作成システム。
【請求項８】
前記対象項目データには、前記対象項目に関連する関連情報を参照可能な第１ハイパーリンクデータと、前記対象項目に関する第１テキストデータと、前記対象項目に関する第１数値データとが含まれる請求項１ないし請求項７いずれかに記載の関係図表作成システム。
【請求項９】
前記関係内容データには、前記関係内容に関連する関連情報を参照可能な第２ハイパーリンクデータと、前記関係内容に関する第２テキストデータと、前記関係内容に関する第２数値データとが含まれる請求項１ないし請求項８いずれかに記載の関係図表作成システム。
【請求項１０】
前記連繋データには、前記第１対象項目と前記第２対象項目との少なくとも一方に関連する関連情報を参照可能な第３ハイパーリンクデータと、前記第１対象項目と前記第２対象項目との少なくとも一方に関する第３テキストデータと、前記第１対象項目と前記第２対象項目との少なくとも一方に関する第３数値データとが含まれる請求項１ないし請求項９いずれかに記載の関係図表作成システム。
【請求項１１】
前記関係図表作成システムが、前記対象項目データと前記関係内容データと前記連繋データとを改変するデータ改変手段を有する請求項１ないし請求項１０いずれかに記載の関係図表作成システム。
【請求項１２】
各種複数の対象項目から形成された関係図表を作成する関係図表作成方法において、
前記関係図表作成方法が、所定の対象項目番号が設定されたそれら対象項目を個別に識別可能な各種複数の対象項目識別情報を含む対象項目データと、それら対象項目どうしを結ぶとともに前記対象項目どうしの各種複数の関係内容を識別可能な関係線を含む関係内容データと、前記関係線によって連繋する任意の第１対象項目と任意の第２対象項目との連繋状態を含む連繋データとを格納したデータベースを備え、
前記関係図表作成方法は、前記連繋データを参照しつつ前記関係線を介してそれら対象項目どうしを一連につなげることで、同一の対象項目を含む各種複数の対象項目どうしの関係を表した関係図表を作成する関係図表作成プロセスと、前記関係図表作成プロセスを介して作成した関係図表を出力する関係図表出力プロセスとを実行することを特徴とする関係図表作成方法。
【請求項１３】
前記関係図表作成方法が、前記関係図表を形成する対象項目の前記対象項目データをそれら対象項目毎に個別に出力する対象項目データ出力プロセスと、前記関係図表を形成する関係線の前記関係内容データをそれら関係線毎に個別に出力する関係内容データ出力プロセスと、前記関係図表を形成する対象項目どうしの前記連繋データを出力する連繋データ出力プロセスとを実行する請求項１２記載の関係図表作成方法。
【請求項１４】
前記関係線には、前記第１対象項目から前記第２対象項目を指し示し、前記第１対象項目を関係元としつつ前記第２対象項目を関係先とする一方向関係線と、前記第１対象項目と前記第２対象項目との双方向を指し示す双方向関係線と、前記対象項目からその対象項目を指し示す回帰関係線とが含まれる請求項１２または請求項１３に記載の関係図表作成方法。
【請求項１５】
前記関係図表作成プロセスでは、前記第１対象項目のうちの前記関係元の存在しない第１対象項目を先頭に配置して前記関係図表を作成する請求項１４記載の関係図表作成方法。
【請求項１６】
前記関係図表作成プロセスでは、前記第１対象項目のすべてに前記関係元が存在する場合、各種複数の関係内容のうちの一番多い関係内容によって連繋する第１対象項目と第２対象項目との中から前記連繋データに最初に表れる該第１対象項目を抽出し、抽出したその第１対象項目を先頭に配置して前記関係図表を作成する請求項１４または請求項１５に記載の関係図表作成方法。
【請求項１７】
前記関係図表作成プロセスでは、各種複数の関係図表が並列して存在する場合、各種複数の関係内容のうちの一番多い関係内容を有する関係図表を最先に配置する請求項１４ないし請求項１６いずれかに記載の関係図表作成方法。
【請求項１８】
前記関係図表作成プロセスでは、前記関係図表作成手段によって関係図表を作成した後、前記対象項目データの中から関係図表に含まれない関係図表外対象項目を抽出し、最先に抽出した関係図表外対象項目を先頭に配置しつつそれら関係図表外対象項目から形成された関係図表を作成する請求項１４ないし請求項１７いずれかに記載の関係図表作成方法。
【請求項１９】
前記データベースに格納された対象項目データには、前記対象項目に関連する関連情報を参照可能な第１ハイパーリンクデータと、前記対象項目に関する第１テキストデータと、前記対象項目に関する第１数値データとが含まれる請求項１２ないし請求項１８いずれかに記載の関係図表作成方法。
【請求項２０】
前記データベースに格納された関係内容データには、前記関係内容に関連する関連情報を参照可能な第２ハイパーリンクデータと、前記関係内容に関する第２テキストデータと、前記関係内容に関する第２数値データとが含まれる請求項１２ないし請求項１９いずれかに記載の関係図表作成方法。
【請求項２１】
前記データベースに格納された連繋データには、前記第１対象項目と前記第２対象項目との少なくとも一方に関連する関連情報を参照可能な第３ハイパーリンクデータと、前記第１対象項目と前記第２対象項目との少なくとも一方に関する第３テキストデータと、前記第１対象項目と前記第２対象項目との少なくとも一方に関する第３数値データとが含まれる請求項１２ないし請求項２０いずれかに記載の関係図表作成方法。
【請求項２２】
前記関係図表作成方法が、前記対象項目データと前記関係内容データと前記連繋データとを改変するデータ改変プロセスを実行する請求項１２ないし請求項２１いずれかに記載の関係図表作成方法。
【発明の詳細な説明】
【技術分野】
【０００１】
本発明は、各種複数の対象項目から形成された関係図表を作成する関係図表作成システムおよび関係図表作成方法に関する。
【背景技術】
【０００２】
機械装置を構成する各種複数の部品をツリー構造に展開することで、機械装置の部品構成表を作成する生産管理システムがある（特許文献２参照）。この生産管理システムは、機械装置のデータ番号を０００とし、その直近下位に連なる第１部品の第１部品番号を１００，２００，３００・・・とするとともに、第１部品番号１００の直近下位に連なる第２部品の第２部品番号を１１０，１２０，１３０・・・とし、第２部品番号１１０の直近下位に連なる第３部品の第３部品番号を１１１，１１２，１１３・・・とする。なお、第１部品番号２００に連なる第２部品番号は、２１０，２２０，２３０・・・であり、第１部品番号３００に連なる第２部品番号は、３１０，３２０，３３０・・・である。また、第２部品番号２１０に連なる第３部品番号は、２１１，２１２，２１３・・・であり、第２部品番号３１０に連なる第３部品番号は、３１１，３１２，３１３・・・である。このシステムは、機械装置のデータ番号に第１部品番号をつなげ、第１部品番号に第２部品番号をつなげるとともに、第２部品番号に第３部品番号をつなげることで、機械装置を形成する複数の部品をツリー構造として展開することができる。
【特許文献１】特開２００４−６２５２６号公報
【発明の開示】
【発明が解決しようとする課題】
【０００３】
前記特許文献１に開示の生産管理システムは、機械装置の構成部品を部品番号で管理しており、部品番号によって特定された第１〜第３部品が番号順に並ぶから、第１部品の直近下位に特定の第２部品が連なり、その第２部品の直近下位に特定の第３部品が連なることになる。したがって、この生産管理システムでは、ツリー状に並ぶ第１〜第３部品が一義的に定義され、第１部品の下位に異なる種類の部品を配置することや第２部品の下位に異なる種類の部品を配置することができないのみならず、部品以外の他の対象項目を組み入れることができず、異なる種類の構成部品を自由に組み合わせた部品構成表や各種複数の対象項目を自由に組み合わせた構成表を作成することができない。また、それら構成部品どうしの関係が不明であり、作成された部品構成表においてそれら構成部品どうしの関係を把握することができない。
【０００４】
本発明の目的は、各種複数の対象項目どうしを自由に連繋させつつ、それら対象項目どうしの関係を表示した関係図表を作成することができる関係図表作成システムおよび関係図表作成方法を提供することにある。本発明の他の目的は、それら対象項目どうしの関係内容を把握することが可能な関係図表を作成することができる関係図表作成システムおよび関係図表作成方法を提供することにある。
【課題を解決するための手段】
【０００５】
前記課題を解決するための本発明の第１の前提は、各種複数の対象項目から形成された関係図表を作成する関係図表作成システムである。
【０００６】
前記第１の前提における本発明の特徴として、関係図表作成システムには、所定の対象項目番号が設定されたそれら対象項目を個別に識別可能な各種複数の対象項目識別情報を含む対象項目データと、それら対象項目どうしを結ぶとともに対象項目どうしの各種複数の関係内容を識別可能な関係線を含む関係内容データと、関係線によって連繋する任意の第１対象項目と任意の第２対象項目との連繋状態を含む連繋データとが格納され、関係図表作成システムが、連繋データを参照しつつ関係線を介してそれら対象項目どうしを一連につなげることで、同一の対象項目を含む各種複数の対象項目どうしの関係を表した関係図表を作成する関係図表作成手段と、関係図表作成手段を介して作成した関係図表を出力する関係図表出力手段とを有することにある。
【０００７】
前記関係図表作成システムの一例としては、関係図表作成システムが、関係図表を形成する対象項目の対象項目データをそれら対象項目毎に個別に出力する対象項目データ出力手段と、関係図表を形成する関係線の関係内容データをそれら関係線毎に個別に出力する関係内容データ出力手段と、関係図表を形成する対象項目どうしの連繋データを出力する連繋データ出力手段とを含む。
【０００８】
前記関係図表作成システムの他の一例として、関係線には、第１対象項目から第２対象項目を指し示し、第１対象項目を関係元としつつ第２対象項目を関係先とする一方向関係線と、第１対象項目と第２対象項目との双方向を指し示す双方向関係線と、対象項目からその対象項目を指し示す回帰関係線とが含まれる。
【０００９】
前記関係図表作成システムの他の一例として、関係図表作成手段では、第１対象項目のうちの関係元の存在しない第１対象項目を先頭に配置して関係図表を作成する。
【００１０】
前記関係図表作成システムの他の一例として、関係図表作成手段では、第１対象項目のすべてに関係元が存在する場合、各種複数の関係内容のうちの一番多い関係内容によって連繋する第１対象項目と第２対象項目との中から連繋データに最初に表れる第１対象項目を抽出し、抽出したその第１対象項目を先頭に配置して関係図表を作成する。
【００１１】
前記関係図表作成システムの他の一例として、関係図表作成手段では、各種複数の関係図表が並列して存在する場合、各種複数の関係内容のうちの一番多い関係内容を有する関係図表を最先に配置する。
【００１２】
前記関係図表作成システムの他の一例として、関係図表作成手段では、関係図表作成手段によって関係図表を作成した後、対象項目データの中から関係図表に含まれない関係図表外対象項目を抽出し、最先に抽出した関係図表外対象項目を先頭に配置しつつそれら関係図表外対象項目から形成された関係図表を作成する。
【００１３】
前記関係図表作成システムの他の一例として、対象項目データには、対象項目に関連する関連情報を参照可能な第１ハイパーリンクデータと、対象項目に関する第１テキストデータと、対象項目に関する第１数値データとが含まれる。
【００１４】
前記関係図表作成システムの他の一例として、関係内容データには、関係内容に関連する関連情報を参照可能な第２ハイパーリンクデータと、関係内容に関する第２テキストデータと、関係内容に関する第２数値データとが含まれる。
【００１５】
前記関係図表作成システムの他の一例として、連繋データには、第１対象項目と第２対象項目との少なくとも一方に関連する関連情報を参照可能な第３ハイパーリンクデータと、第１対象項目と第２対象項目との少なくとも一方に関する第３テキストデータと、第１対象項目と第２対象項目との少なくとも一方に関する第３数値データとが含まれる。
【００１６】
前記関係図表作成システムの他の一例としては、関係図表作成システムが対象項目データと関係内容データと連繋データとを改変するデータ改変手段を有する。
【００１７】
前記課題を解決するための本発明の第２の前提は、各種複数の対象項目から形成された関係図表を作成する関係図表作成方法である。
【００１８】
前記第２前提における本発明の特徴としては、関係図表作成方法が、所定の対象項目番号が設定されたそれら対象項目を個別に識別可能な各種複数の対象項目識別情報を含む対象項目データと、それら対象項目どうしを結ぶとともに対象項目どうしの各種複数の関係内容を識別可能な関係線を含む関係内容データと、関係線によって連繋する任意の第１対象項目と任意の第２対象項目との連繋状態を含む連繋データとを格納したデータベースを備え、関係図表作成方法は、連繋データを参照しつつ関係線を介してそれら対象項目どうしを一連につなげることで、同一の対象項目を含む各種複数の対象項目どうしの関係を表した関係図表を作成する関係図表作成プロセスと、関係図表作成プロセスを介して作成した関係図表を出力する関係図表出力プロセスとを実行することにある。
【００１９】
前記関係図表作成方法の一例としては、関係図表作成方法が、関係図表を形成する対象項目の対象項目データをそれら対象項目毎に個別に出力する対象項目データ出力プロセスと、関係図表を形成する関係線の関係内容データをそれら関係線毎に個別に出力する関係内容データ出力プロセスと、関係図表を形成する対象項目どうしの連繋データを出力する連繋データ出力プロセスとを実行する。
【００２０】
前記関係図表作成方法の他の一例として、関係線には、第１対象項目から第２対象項目を指し示し、第１対象項目を関係元としつつ第２対象項目を関係先とする一方向関係線と、第１対象項目と第２対象項目との双方向を指し示す双方向関係線と、対象項目からその対象項目を指し示す回帰関係線とが含まれる。
【００２１】
前記関係図表作成方法の一例として、関係図表作成プロセスでは、第１対象項目のうちの関係元の存在しない第１対象項目を先頭に配置して関係図表を作成する。
【００２２】
前記関係図表作成方法の一例として、関係図表作成プロセスでは、第１対象項目のすべてに関係元が存在する場合、各種複数の関係内容のうちの一番多い関係内容によって連繋する第１対象項目と第２対象項目との中から連繋データに最初に表れる第１対象項目を抽出し、抽出したその第１対象項目を先頭に配置して関係図表を作成する。
【００２３】
前記関係図表作成方法の一例として、関係図表作成プロセスでは、各種複数の関係図表が並列して存在する場合、各種複数の関係内容のうちの一番多い関係内容を有する関係図表を最先に配置する。
【００２４】
前記関係図表作成方法の一例として、関係図表作成プロセスでは、関係図表作成手段によって関係図表を作成した後、対象項目データの中から関係図表に含まれない関係図表外対象項目を抽出し、最先に抽出した関係図表外対象項目を先頭に配置しつつそれら関係図表外対象項目から形成された関係図表を作成する。
【００２５】
前記関係図表作成方法の一例として、データベースに格納された対象項目データには、対象項目に関連する関連情報を参照可能な第１ハイパーリンクデータと、対象項目に関する第１テキストデータと、対象項目に関する第１数値データとが含まれる。
【００２６】
前記関係図表作成方法の一例として、データベースに格納された関係内容データには、関係内容に関連する関連情報を参照可能な第２ハイパーリンクデータと、関係内容に関する第２テキストデータと、関係内容に関する第２数値データとが含まれる。
【００２７】
前記関係図表作成方法の一例として、データベースに格納された連繋データには、第１対象項目と第２対象項目との少なくとも一方に関連する関連情報を参照可能な第３ハイパーリンクデータと、第１対象項目と第２対象項目との少なくとも一方に関する第３テキストデータと、第１対象項目と第２対象項目との少なくとも一方に関する第３数値データとが含まれる。
【００２８】
前記関係図表作成方法の一例としては、関係図表作成方法が、対象項目データと関係内容データと連繋データとを改変するデータ改変プロセスを実行する。
【発明の効果】
【００２９】
本発明にかかる関係図表作成システムおよび関係図表作成方法は、対象項目どうしの関係内容を識別可能な関係線を介してそれら対象項目どうしを一連につなげることで、それら対象項目どうしの関係を表した関係図表を作成するから、それら対象項目どうしの関係内容を把握することが可能な関係図表を作ることができる。この関係図表作成システムおよび関係図表作成方法は、関係線によって連繋する任意の第１対象項目と任意の第２対象項目との各種複数の連繋状態を利用することで、異なる種類の対象項目や同一の対象項目を自由に組み合わせた多種多様な関係図表を作ることができる。
【００３０】
対象項目データ出力手段（対象項目データ出力プロセス）と関係内容データ出力手段（関係内容データ出力プロセス）と連繋データ出力手段（連繋データ出力プロセス）とを含む関係図表作成システムおよび関係図表作成方法は、対象項目に関する対象項目データをそれら対象項目毎に個別に出力するから、各対象項目の各種の属性情報を知ることができ、作成された関係図表から各対象項目を具体的に把握することができる。また、関係線に関する関係内容データをそれら関係線毎に個別に出力するから、関係線が表す関係の詳細を知ることができ、作成された関係図表から対象項目どうしの関係内容を具体的に把握することができる。この関係図表作成システムおよび関係図表作成方法は、関係図表を形成する対象項目どうしの連繋データを出力するから、対象項目どうしの連繋状態の詳細を知ることができ、作成された関係図表から対象項目どうしの連繋状態を具体的に把握することができる。
【００３１】
関係線に一方向関係線と双方向関係線と回帰関係線とが含まれる関係図表作成システムおよび関係図表作成方法は、一方向関係線によって第１対象項目と第２対象項目とを結ぶことにより、それら対象項目の上下の連携関係の関係付けができるから、関係元と関係先とを明確にした関係図表を作成することができる。この関係図表作成システムおよび関係図表作成方法は、双方向関係線によって第１対象項目と第２対象項目とを結ぶことにより、それら対象項目の双方向の連繋関係の関係付けができるから、それら対象項目が相互に関係元および関係先になった関係図表を作成することができる。また、回帰関係線によって対象項目自体を結ぶことにより、その対象項目の自己に回帰する連繋関係の関係付けができるから、対象項目が自己に帰する関係を表示した関係図表を作成することができる。この関係図表作成システムおよび関係図表作成方法は、それら関係線を利用することで、それら対象項目どうしの関係内容を確実に把握することが可能な関係図表を作成することができる。
【００３２】
第１対象項目のうちの関係元の存在しない第１対象項目を先頭に配置して関係図表を作成する関係図表作成システムおよび関係図表作成方法は、複数の第１対象項目の中から関係図表の先頭に配置する対象項目を一義的に決定することができるから、それら第１対象項目の配置が不明確になることによる関係図表の作成不能を防ぐことができる。この関係図表作成システムおよび関係図表作成方法は、それら対象項目が不規則に連繋することはなく、作成された関係図表におけるそれら対象項目どうしの関係の不明確を防ぐことができる。
【００３３】
第１対象項目のすべてに関係元が存在する場合、各種複数の関係内容のうちの一番多い関係内容によって連繋する第１対象項目と第２対象項目との中から連繋データに最初に表れる第１対象項目を抽出し、抽出したその第１対象項目を先頭に配置して関係図表を作成する関係図表作成システムおよび関係図表作成方法は、第１対象項目のすべてに関係元が存在したとしても、一番多い関係内容によって連繋しつつ連繋データに最初に表れる第１対象項目を先頭に配置することで、関係図表を作成することができるから、システムにおける関係図表の作成不能を防ぐことができるとともに、作成された関係図表におけるそれら対象項目どうしの関係の不明確を防ぐことができる。この関係図表作成システムおよび関係図表作成方法は、関係図表が所定の規則にしたがって作成されるから、同一内容の関係図表が各種の異なる形態で作成されることによる関係図表の不統一を防ぐことができる。
【００３４】
各種複数の関係図表が並列して存在する場合、各種複数の関係内容のうちの一番多い関係内容を有する関係図表を最先に配置する関係図表作成システムおよび関係図表作成方法は、各種複数の関係図表が存在したとしても、一番多い関係内容を有する関係図表を最先に配置することで、多数の関係図表が整然と並存する関係図表を作成することができる。この関係図表作成システムおよび関係図表作成方法は、関係図表が所定の規則にしたがって整然と並ぶから、各種複数の関係図表が不統一に並んだ関係図表が作成されることはなく、それら関係図表が煩雑に並ぶことによる関係図表の見難さを防ぐことができる。
【００３５】
関係図表作成手段によって関係図表を作成した後、対象項目データの中から関係図表に含まれない関係図表外対象項目を抽出し、最先に抽出した関係図表外対象項目を先頭に配置しつつそれら関係図表外対象項目から形成された関係図表を作成する関係図表作成システムおよび関係図表作成方法は、関係元がない対象項目を先頭に配置して関係図表が作成された後に、関係元を有する対象項目が関係図表に含まれずに残存してしまうことを防ぐことができ、すべての対象項目を関係図表として表示することができる。
【００３６】
対象項目データに対象項目の第１ハイパーリンクデータと第１テキストデータと第１数値データとが含まれる関係図表作成システムおよび関係図表作成方法は、第１ハイパーリンクデータを利用することで、対象項目に関連するリンク情報を知ることができ、作成された関係図表から各対象項目を一層具体的に把握することができる。また、第１テキストデータを利用することで、対象項目に関する各種のテキスト情報を知ることができ、作成された関係図表から各対象項目を一層具体的に把握することができる。この関係図表作成システムおよび関係図表作成方法は、第１数値データを利用することで、対象項目に関する各種の数値情報を知ることができる。
【００３７】
関係内容データに関係内容の第２ハイパーリンクデータと第２テキストデータと第２数値データとが含まれる関係図表作成システムおよび関係図表作成方法は、第２ハイパーリンクデータを利用することで、関係内容に関連するリンク情報を知ることができ、作成された関係図表から対象項目どうしの各関係を一層具体的に把握することができる。また、第２テキストデータを利用することで、関係内容に関する各種のテキスト情報を知ることができ、作成された関係図表から対象項目どうしの各関係を一層具体的に把握することができる。この関係図表作成システムおよび関係図表作成方法は、第２数値データを利用することで、対象項目どうしの各関係に関する各種の数値情報を知ることができる。
【００３８】
連繋データに第１対象項目と第２対象項目との少なくとも一方の第３ハイパーリンクデータと第３テキストデータと第３数値データとが含まれる関係図表作成システムおよび関係図表作成方法は、第３ハイパーリンクデータを利用することで、第１対象項目と第２対象項目との少なくとも一方に関連するリンク情報を知ることができ、作成された関係図表から対象項目の連繋状態を一層具体的に把握することができる。また、第３テキストデータを利用することで、第１対象項目と第２対象項目との少なくとも一方に関する各種のテキスト情報を知ることができ、作成された関係図表から対象項目の連繋状態を一層具体的に把握することができる。この関係図表作成システムおよび関係図表作成方法は、第３数値データを利用することで、第１対象項目と第２対象項目との少なくとも一方に関する各種の数値情報を知ることができる。
【００３９】
対象項目データと関係内容データと連繋データとを改変するデータ改変手段（データ改変プロセス）を有する関係図表作成システムおよび関係図表作成方法は、対象項目や関係内容、第１対象項目と第２対象項目との連繋状態を自由に追加、変更、削除することができ、異なる種類の対象項目や同一の対象項目を自由に組み合わせた多種多様な関係図表を作ることができる。
【発明を実施するための最良の形態】
【００４０】
添付の図面を参照し、本発明に係る関係図表作成システムおよび関係図表作成方法の詳細を説明すると、以下のとおりである。図１は、関係図表作成方法を実行する一例として示す関係図表作成システムの構成図である。関係図表作成システムは、コンピュータ１０を利用して各種複数の対象項目どうしの関係を表示した関係図表を作成する。それら対象項目は、任意の第１対象項目と任意の第２対象項目との２項関係によって連繋する。なお、対象項目に特に限定はなく、あらゆる項目（事項）が含まれる。
【００４１】
コンピュータ１０は、中央処理部１１（ＣＰＵまたはＭＰＵ）とメモリ１２とを備え、大容量ハードディスク１３を内蔵している。コンピュータ１０には、キーボードやマウス等の入力装置１４、ディスプレイやプリンタ等の出力装置１５がインターフェイス１６を介して接続されている。メモリ１２の内部アドレスファイルには、コンピュータ１０にこのシステムの各手段（各プロセス）を実行させるための関係図表作成アプリケーションと、データベース管理アプリケーション（たとえば、Database  Management  System）とが格納されている。関係図表作成アプリケーションやデータベース管理アプリケーションは、それらを記憶したＣＤ−ＲＯＭ等の光ディスク（記憶媒体）からコンピュータ１０のメモリ１２にインストールされる。なお、記憶媒体には、光ディスクの他に半導体メモリや磁気ディスクを使用することもできる。
【００４２】
メモリ１２に関係図表作成アプリケーションがインストールされると、コンピュータ１０は、ハードディスク１３に関係図表作成用のデータベースを構築するとともに、そのデータベースに対象項目データファイル１７、関係内容データファイル１８、連繋データファイル１９、関係図表ファイル２０を作成する。コンピュータ１０は、必要なデータをデータベースから抽出し、必要に応じてデータをデータベースに格納する。
【００４３】
対象項目データファイル１７には、対象項目データが格納される。対象項目データには、対象項目を個別に識別可能な各種複数の対象項目識別データ、対象項目に関連する関連情報を参照可能なハイパーリンクデータ（第１ハイパーリンクデータ）、対象項目に関するテキストデータ（第１テキストデータ）、対象項目に関する数値データ（第１数値データ）が含まれる。対象項目識別データには、各対象項目毎に設定された対象項目番号、対象項目の名称等、郵便番号、住所、年月日が含まれる。ただし、対象項目データや対象項目識別データをそれらに限定するものではなく、対象項目に関連するあらゆる事項が含まれる。
【００４４】
関係内容データファイル１８には、関係内容データが格納される。関係内容データには、各関係名に設定された関係名番号、対象項目どうしの関係名、対象項目どうしを結ぶ関係線データ、関係内容に関連する関連情報を参照可能なハイパーリンクデータ（第２ハイパーリンクデータ）、関係内容に関するテキストデータ（第２テキストデータ）、関係内容に関する数値データ（第２数値データ）が含まれる。関係線データには、関係線の矢印の方向、線太さ、線種、線色が含まれる。ただし、関係内容データや関係線データをそれらに限定するものではなく、対象項目どうしの関係に関するあらゆる事項が含まれる。関係線には、第１対象項目から第２対象項目を指し示し、第１対象項目を関係元としつつ第２対象項目を関係先とする一方向関係線と、第１対象項目と第２対象項目との双方向を指し示す双方向関係線と、対象項目からその対象項目を指し示す回帰関係線とが含まれる。
【００４５】
連繋データファイル１９には、連繋データが格納される。連繋データには、関係線によって連繋する任意の第１対象項目と任意の第２対象項目との連繋状態、第１および第２対象項目の少なくとも一方に関連する関連情報を参照可能なハイパーリンクデータ（第３ハイパーリンクデータ）、第１および第２対象項目の少なくとも一方に関するテキストデータ（第３テキストデータ）、第１および第２対象項目の少なくとも一方に関する数値データ（第３数値データ）が含まれる。ただし、連繋データをそれらに限定するものではなく、対象項目どうしの連繋状態に関連するあらゆる事項が含まれる。
【００４６】
コンピュータ１０の中央処理部１１は、オペレーティングシステムによる制御に基づいて、メモリ１２の内部アドレスファイルに格納された関係図表作成アプリケーションを起動し、起動したアプリケーションに従って以下の各手段を実行する。中央処理部１１は、対象項目どうしの各種複数の連携状態（２項関係）を統合する連繋状態統合手段（連繋状態統合プロセス）を実行し、統合した連繋状態に基づいて関係線を介してそれら対象項目どうしを一連につなげることで関係図表をリアルタイムに作成する関係図表作成手段（関係図表作成プロセス）を実行する。中央処理部１１は、作成した関係図表をデータベースの関係図表ファイル２０に格納する関係図表格納手段（関係図表格納プロセス）を実行し、作成した関係図表を出力装置１５を介して出力する関係図表出力手段（関係図表出力プロセス）を実行する。
【００４７】
コンピュータ１０の中央処理部１１は、関係図表を形成する対象項目の対象項目データ（対象項目識別データ、ハイパーリンクデータ、テキストデータ、数値データ）をそれら対象項目毎に個別に出力する対象項目データ出力手段（対象項目データ出力プロセス）を実行し、関係図表を形成する関係線の関係内容データ（関係名、関係線データ、ハイパーリンクデータ、テキストデータ、数値データ）をそれら関係線毎に個別に出力する関係内容データ出力手段（関係内容データ出力プロセス）を実行する。中央処理部１１は、関係図表を形成する対象項目どうしの連繋データ（連繋状態、ハイパーリンクデータ、テキストデータ、数値データ）を出力する連繋データ出力手段（連繋データ出力プロセス）を実行し、対象項目データや関係内容データ、連繋データを改変（追加、変更、削除）するデータ改変手段（データ改変プロセス）を実行する。
【００４８】
図２は、コンピュータ１０のディスプレイ（出力装置１５）に表示されたシステムのメイン画面の一例を示す図であり、図３は、対象項目データや関係内容データ、連繋データを選択するＤＢメンテナンス画面の一例を示す図であり、それらデータを新規に格納または格納したそれらデータを改変するための画面である。コンピュータ１０を起動すると、それに接続されたディスプレイにパスワード入力画面が表示される（図示せず）。パスワード入力エリアにあらかじめ取得したパスワードを入力し、入力完了ボタンをクリックする。コンピュータ１０は、入力されたパスワードをメモリに格納されたそれと比較し、パスワードの正誤を判断する。
【００４９】
パスワードが正しく、認証結果が可である場合、コンピュータ１０は、このシステムへのログインを許可し、ディスプレイにメイン画面を表示する。パスワードが誤っていて認証結果が不可である場合、コンピュータ１０は、システムへのログインを禁止し、パスワード誤りメッセージをディスプレイに表示させる。メイン画面には、図２に示すように、環境設定エリア、ＤＢ（データベース）メンテナンスボタン、各種ＣＳＶファイル作成ボタン、関係図表作成ボタン、閉じるボタンが表示される。環境設定エリアには、ＤＢファイルエリア、描画スタイルエリア、作成する関係図表エリア、関係の定義されていない対象項目エリア、関係名の表示エリアが表示される。
【００５０】
図４は、対象項目データファイルに対象項目データを格納する対象項目データの設定画面の一例を示す図であり、図５は、対象項目データに関する基本データの追加画面の一例を示す図である。図６は、対象項目データに関するテキストデータの追加画面の一例を示す図であり、図７は、対象項目データに関する数値データの追加画面の一例を示す図である。図５〜図７では、基本データやテキストデータ、数値データの内容の図示を省略している。
【００５１】
新規に対象項目データを対象項目データファイル１７に格納する手順の一例および対象項目データを追加する手順の一例を説明すると、以下のとおりである。図２のメイン画面においてＤＢメンテナンスボタンをクリックする。ＤＢメンテナンスボタンをクリックすると、ディスプレイには、図３に示すＤＢメンテナンス画面が表示される。ＤＢメンテナンス画面には、データ選択エリア、設定ボタン、閉じるボタンが表示されている。データ選択エリアに表示された対象項目データ、関係内容データ、連繋データのうち、対象項目データのチェックボックスにチェックマークを入れた後、設定ボタンをクリックする。設定ボタンをクリックすると、ディスプレイには、図４に示す対象項目データの設定画面が表示される。図４の設定画面には、データ一覧エリア、追加ボタン、変更ボタン、削除ボタン、閉じるボタンが表示される。なお、新規入力では対象項目データが対象項目データファイル１７に格納されていないから、図４の設定画面のデータ一覧エリアに対象項目データは表示されない。
【００５２】
図４の設定画面において追加ボタンをクリックする。追加ボタンをクリックすると、ディスプレイには、図５に示す対象項目データに関する基本データの追加画面が表示される。図５の追加画面には、各入力エリアとともに、基本タブ、テキストタブ、数値タブ、シェイプタブ、クリアボタン、追加ボタン、キャンセルボタンが表示されている。たとえば、番号入力エリアに対象項目番号（１）を入力し、名称等入力エリアに対象項目データの名称（α）を入力する。必要があれば、フリガナ入力エリアにフリガナ、郵便番号入力エリアに郵便番号、住所等入力エリアに住所、年月日等入力エリアに年月日、ハイパーリンク情報（ＨＰＬ情報）入力エリアにハイパーリンクデータ（第１ハイパーリンクデータ）を入力する。
【００５３】
基本データのうち、（番号）および（名称）は必須入力事項であり、その他は任意入力事項である。なお、クリアボタンは入力したデータをクリアする場合に使用し、キャンセルボタンは画面を閉じる場合に使用する。対象項目に関する基本データを入力した後、追加ボタンをクリックすると、コンピュータ１０は、入力エリアに入力された対象項目の基本データと対象項目の番号とを関連付けた後、その基本データをデータベースの対象項目データファイル１７に格納する。
【００５４】
さらに必要があれば、対象項目データのテキストデータ（第１テキストデータ）や数値データ（第１数値データ）を入力する。テキストデータを入力するには、図５の追加画面に少なくとも対象項目の番号と名称とを入力した後、テキストタブをクリックする。テキストタブをクリックすると、ディスプレイには、図６に示すテキストデータの追加画面が表示される。図６の追加画面には、タイトル入力エリアや内容入力エリアとともに、基本タブ、テキストタブ、数値タブ、シェイプタブ、クリアボタン、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと対象項目の番号とを関連付けた後、そのテキストデータをデータベースの対象項目データファイル１７に格納する。
【００５５】
数値データを入力するには、図５の追加画面に少なくとも対象項目の番号と名称とを入力した後、数値タブをクリックする。数値タブをクリックすると、ディスプレイには、図７に示す数値データの追加画面が表示される。図７の追加画面には、タイトル入力エリアや内容入力エリアとともに、基本タブ、テキストタブ、数値タブ、シェイプタブ、クリアボタン、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと対象項目の番号とを関連付けた後、その数値データをデータベースの対象項目データファイル１７に格納する。
【００５６】
図８は、シェイプ設定画面の一例を示す図であり、図９は、ステンシルとシェイプの選択画面の一例を示す図である、図１０は、画像ファイルの選択画面の一例を示す図である。図８では、標準シェイプやピクチャーシェイプの内容の表示を省略し、図９では、ステンシル（道具箱）やシェイプ（形状）の内容の表示を省略している。図１０では、画像の具体的な表示を省略している。このシステムでは、関係図表の作成に使用するシェイプを設定することができる。図５〜図７の追加画面においてシェイプタブをクリックすると、ディスプレイには、図８に示すシェイプ設定画面が表示される。図８の設定画面には、作図に使用するシェイプの入力エリアとともに、基本タブ、テキストタブ、数値タブ、シェイプタブ、クリアボタン、適用ボタン、閉じるボタンが表示されている。シェイプの入力エリアのチェックボックスのうち、四角形のチェックボックスにチェックを入れ、適用ボタンをクリックすると、四角形の図形内部に対象項目データが表示された関係図表が作成される。なお、図８の設定画面の入力エリアのうち、標準シェイプまたはピクチャーシェイプを選択すると、そのシェイプを使用した関係図表が作成される。
【００５７】
図８の設定画面の入力エリアのうち、ステンシルとシェイプの選択ボタンをクリックすると、ディスプレイには、図９に示すステンシルとシェイプの選択画面が表示される。図９の選択画面には、ステンシルの一覧とシェイプの一覧とが表示される。図９の選択画面においてシェイプ情報の取得ボタンをクリックすると、ステンシルの一覧に各種複数のステンシルが表示され、シェイプの一覧に各種複数のシェイプが表示される。それら一覧からステンシルやシェイプを選択し、選択ボタンをクリックすると、図８の設定画面のステンシル表示エリアやシェイプ表示エリアに選択したステンシルやシェイプが表示される。図８の設定画面の入力エリアのうち、画像ファイルの選択ボタンをクリックすると、ディスプレイには、図１０に示す画像ファイルの選択画面が表示される。図１０の選択画面には、各種複数の画像ファイルＰ１〜Ｐ４の一覧が表示される。画像ファイルＰ１〜Ｐ４の一覧から特定の画像ファイルを選択し、開くボタンをクリックすると、シェイプにその画像ファイルのパスが設定される。
【００５８】
図１１は、対象項目データが入力された後の対象項目データ設定画面の一例を示す図であり、図１２は、対象項目データファイル１７に格納された基本データを変更する基本データ変更画面の一例を示す図である。対象項目データの新規入力では、対象項目データとして、対象項目の番号（１）、（２）、（３）が入力され、対象項目の名称として、番号（１）に対応する（α）、番号（２）に対応する（β）、番号（３）に対応する（γ）が入力されたものとする。それら対象項目データが対象項目データファイル１７に格納された後、図３に示すＤＢメンテナンス画面において対象項目データのチェックボックスにチェックマークを入れ、設定ボタンをクリックすると、図１１に示す対象項目データ設定画面がディスプレイに表示される。図１１の設定画面のデータ一覧表示エリアには、対象項目の番号（１）、（２）、（３）と対象項目の名称（α）、（β）、（γ）とが表示される。なお、図５の追加画面において、フリガナ、郵便番号、住所、年月日、ハイパーリンクデータを入力すると、図１１の対象項目データ設定画面のデータ一覧表示エリアにそれらが表示される。
【００５９】
あらたな対象項目データを追加するには、図１１の設定画面から追加ボタンをクリックし、図５〜図７と同様の追加画面において対象項目の基本データやテキストデータ、数値データを追加入力するとともに、シェイプを追加入力する（データ改変手段、データ改変プロセス）。対象項目データが追加されると、設定画面のデータ一覧表示エリアには、対象項目の番号（４）〜（ｎ）が表示され、対象項目の（名称）〜（名称）が表示される。さらに、フリガナ、郵便番号、住所、年月日、ハイパーリンクデータが表示される。
【００６０】
対象項目データファイル１７に格納された対象項目の各種データを変更する手順の一例を説明すると、以下のとおりである。図１１の設定画面において対象項目データ一覧表示エリアに表示された対象項目データから変更するデータを指定（選択）した後、変更ボタンをクリックする。図１１の設定画面では番号（２）の名称（β）を変更するものとする。変更ボタンをクリックすると、ディスプレイには、図１２に示す基本データ変更画面が表示される。
【００６１】
図１２の変更画面には、各入力エリアとともに、基本タブ、テキストタブ、数値タブ、シェイプタブ、クリアボタン、適用ボタン、キャンセルボタンが表示されている。番号入力エリアに対象項目の番号（２）を入力し、名称等入力エリアに対象項目データの名称（θ）を入力する。必要があれば、フリガナ入力エリアに表示されたフリガナを変更することができ、郵便番号入力エリアに表示された郵便番号を変更することができ、住所等入力エリアに表示された住所を変更することができる。さらに、年月日等入力エリアに表示された年月日を変更することができ、ハイパーリンク情報入力エリアに表示されたハイパーリンクデータ（第１ハイパーリンクデータ）を変更することができる。キャンセルボタンは、対象項目データの変更をキャンセルする場合に使用する。
【００６２】
各入力エリアに表示されたデータを変更した後、適用ボタンをクリックすると、コンピュータ１０は、対象項目の番号（２）の名称（β）を名称（θ）に書き換え、基本データの名称（θ）と番号（２）とを関連付けた後、名称（θ）をデータベースの対象項目データファイル１７に格納する（データ改変手段、データ改変プロセス）。また、変更されたフリガナ、郵便番号、住所、年月日、ハイパーリンクデータと番号（２）とを関連付けた後、それらをデータベースの対象項目データファイル１７に格納（更新）する（データ改変手段、データ改変プロセス）。
【００６３】
図１２の基本データ変更画面からテキストボタン、数値ボタン、シェイプボタンのいずれかをクリックすることで、テキストデータ、数値データ、シェイプの変更を行うことができる。図１２の基本データ変更画面からテキストボタンをクリックすると、ディスプレイには、テキストデータの変更画面が表示される（図６援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの対象項目データファイル１７に格納（更新）する（データ改変手段、データ改変プロセス）。
【００６４】
図１２の基本データ変更画面から数値ボタンをクリックすると、ディスプレイには、数値データの変更画面が表示される（図７援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの対象項目データファイル１７に格納（更新）する（データ改変手段、データ改変プロセス）。
【００６５】
図１２の基本データ変更画面からシェイプボタンをクリックすると、ディスプレイには、シェイプの変更画面が表示される（図８援用）。シェイプの変更画面では、シェイプの内容とともに、適用ボタンが表示される。シェイプの変更画面では、作図に使用するシェイプ表示エリアに表示されたデータを変更することができる。シェイプ表示エリアに表示されたデータを変更した後、適用ボタンをクリックすると、コンピュータ１０は、変更されたデータと番号（２）とを関連付けた後、それらをデータベースの対象項目データファイル１７に格納（更新）する（データ改変手段、データ改変プロセス）。
【００６６】
図１３は、対象項目データファイル１７に格納された各種データを削除する場合の対象項目データ設定画面の一例を示す図である。各種データを削除する手順の一例を説明すると、以下のとおりである。図３に示すＤＢメンテナンス画面において対象項目データのチェックボックスにチェックマークを入れ、設定ボタンをクリックすると、図１３に示す対象項目データ設定画面がディスプレイに表示される。図１３の設定画面のデータ一覧表示エリアには、対象項目番号（１）、（２）、（３）と対象項目の名称（α）、（β）、（γ）とが表示される。図１３の設定画面においてデータ一覧表示エリアに表示された基本データから削除するデータを指定（選択）した後、削除ボタンをクリックする。図１３の設定画面では、対象項目番号（２）の名称（β）を削除するものとする。
【００６７】
削除ボタンをクリックすると、ディスプレイには、削除の確認としてＯＫボタンとキャンセルボタンとが表示される。ＯＫボタンをクリックすると、コンピュータ１０は、対象項目の番号（２）と基本データの名称（β）とを対象項目データファイル１７から削除する（データ改変手段、データ改変プロセス）。なお、基本データの番号（２）および名称（β）を削除すると、コンピュータ１０は、フリガナ、郵便番号、住所、年月日、ハイパーリンクデータの他の基本データを対象項目データファイル１７から削除し、さらに、それに関連するテキストデータや数値データを対象項目データファイル１７から削除する。
【００６８】
なお、テキストデータや数値データ、シェイプを削除することもできる。図１２の基本データ変更画面からテキストボタンをクリックすると、ディスプレイには、テキストデータの変更画面が表示される（図６援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの対象項目データファイル１７に格納（更新）する（データ改変手段、データ改変プロセス）。
【００６９】
図１２の基本データ変更画面から数値ボタンをクリックすると、ディスプレイには、数値データの変更画面が表示される（図７援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの対象項目データファイル１７に格納（更新）する（データ改変手段、データ改変プロセス）。
【００７０】
図１２の基本データ変更画面からシェイプボタンをクリックすると、ディスプレイには、シェイプの変更画面が表示される（図８援用）。シェイプの変更画面では、シェイプの内容とともに、適用ボタンが表示される。シェイプの変更画面において、作図に使用するシェイプ表示エリアに表示されたデータを削除することができる。シェイプ表示エリア各入力エリアに表示されたデータを削除した後、適用ボタンをクリックすると、コンピュータ１０は、削除されたデータを除く残余のデータと番号とを関連付けた後、それらをデータベースの対象項目データファイル１７に格納（更新）する（データ改変手段、データ改変プロセス）。
【００７１】
図１４は、関係内容データファイル１８に関係内容データを格納する関係内容設定画面の一例を示す図であり、図１５は、関係内容データに関する基本データの追加画面の一例を示す図である。図１６は、関係内容データに関するテキストデータの追加画面の一例を示す図であり、図１７は、関係内容データに関する数値データの追加画面の一例を示す図である。図１５〜図１７では、基本データやテキストデータ、数値データの図示を省略している。
【００７２】
新規に関係内容データを関係内容データファイル１８に格納する手順の一例および関係内容データを追加する手順の一例を説明すると、以下のとおりである。図３に示すＤＢメンテナンス画面において、関係内容データのチェックボックスにチェックマークを入れた後、設定ボタンをクリックする。設定ボタンをクリックすると、ディスプレイには、図１４に示す関係内容データの設定画面が表示される。設定画面には、データ一覧エリア、追加ボタン、変更ボタン、削除ボタン、閉じるボタンが表示される。なお、新規入力では関係内容データが関係内容データファイル１８に格納されていないから、図１４の設定画面のデータ一覧エリアに関係内容データは表示されない。
【００７３】
図１４の表示画面において追加ボタンをクリックする。追加ボタンをクリックすると、ディスプレイには、図１５に示す関係内容データに関する基本データの追加画面が表示される。図１５の追加画面には、各入力エリアとともに、基本タブ、テキストタブ、数値タブ、追加ボタン、キャンセルボタンが表示されている。番号入力エリアに関係内容番号（１）を入力し、関係名入力エリアに関係名（たとえば、進化、退化、突然変異、通常変異等）を入力するとともに、矢印方向のチェックボックスにチェックを入れて矢印方向を設定する。必要があれば、線太さや線種、線色を指定（選択）するとともに、年月日入力エリアに年月日、ハイパーリンク情報（ＨＰＬ情報）入力エリアにハイパーリンクデータ（第２ハイパーリンクデータ）を入力する。
【００７４】
基本データのうち、（番号）や（関係名）、（矢印方向）は必須入力事項であり、その他は任意入力事項である。なお、キャンセルボタンは図１５の追加画面をキャンセルする場合に使用する。関係内容に関する基本データを入力した後、追加ボタンをクリックすると、コンピュータ１０は、入力エリアに入力された関係内容データと関係内容の番号とを関連付けた後、その関係内容データをデータベースの関係内容データファイル１８に格納する。
【００７５】
さらに必要があれば、関係内容データのテキストデータ（第２テキストデータ）や数値データ（第２数値データ）を入力する。テキストデータを入力するには、図１５の追加画面に少なくとも関係内容の番号と関係名と矢印方向とを入力した後、テキストタブをクリックする。テキストタブをクリックすると、ディスプレイには、図１６に示すテキストデータの追加画面が表示される。図１６の追加画面には、タイトル入力エリアや内容入力エリアとともに、基本タブ、テキストタブ、数値タブ、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと関係内容の番号とを関連付けた後、そのテキストデータをデータベースの関係内容データファイル１８に格納する。
【００７６】
数値データを入力するには、図１５の追加画面に少なくとも関係内容の番号と関係名と矢印方向とを入力した後、数値タブをクリックする。数値タブをクリックすると、ディスプレイには、図１７に示す数値データの追加画面が表示される。図１７の追加画面には、タイトル入力エリアや内容入力エリアとともに、基本タブ、テキストタブ、数値タブ、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと関係内容の番号とを関連付けた後、その数値データをデータベースの関係内容データファイル１８に格納する。
【００７７】
図１８は、関係内容データが入力された後の関係内容データ設定画面の一例を示す図であり、図１９は、関係内容データファイル１８に格納された基本データを変更する基本データ変更画面の一例を示す図である。関係内容データの新規入力では、関係内容データとして、関係内容の番号（１）、（２）、（３）が入力され、関係名として、番号（１）に対応する（進化）、番号（２）に対応する（進化）、番号（２）に対応する（進化）が入力され、矢印方向として、一方向（一方向関係線）が入力されたものとする。なお、矢印方向の（１）は一方向（一方向関係線）を表し、矢印方向の（２）は双方向（双方向関係線）を表すとともに、矢印方向の（３）は回帰（回帰関係線）を表している。
【００７８】
それら関係内容データが関係内容データファイル１８に格納された後、図３に示すＤＢメンテナンス画面において関係内容データのチェックボックスにチェックマークを入れ、設定ボタンをクリックすると、図１８に示す関係内容データ設定画面がディスプレイに表示される。図１８の設定画面のデータ一覧エリアには、関係内容の番号（１）、（２）、（３）が表示され、関係名（進化）が表示されるとともに、矢印方向の番号（１）が表示される。なお、図１５の追加画面において、年月日、ハイパーリンクデータを入力すると、図１８の関係内容データ設定画面のデータ一覧表示エリアにそれらが表示される。
【００７９】
あらたな関係内容データを追加するには、図１８の画面から追加ボタンをクリックし、図１５〜図１７と同様の追加画面において関係内容の基本データやテキストデータ、数値データを追加入力する（データ改変手段、データ改変プロセス）。関係内容データが追加されると、設定画面のデータ一覧表示エリアには、関係内容の番号（４）〜（ｎ）が表示され、関係内容の（関係名）〜（関係名）が表示される。さらに、年月日、ハイパーリンクデータが表示される。
【００８０】
関係内容データファイル１８に格納された関係内容の各種データを変更する手順の一例を説明すると、以下のとおりである。図１８の設定画面において関係内容データ一覧表示エリアに表示された関係内容データから変更するデータを指定（選択）した後、変更ボタンをクリックする。図１８の設定画面では番号（２）の関係名（進化）を変更するものとする。変更ボタンをクリックすると、ディスプレイには、図１９に示す基本データ変更画面が表示される。図１９の変更画面には、各入力エリアとともに、基本タブ、テキストタブ、数値タブ、適用ボタン、キャンセルボタンが表示されている。番号入力エリアに関係内容の番号（２）を入力し、関係名等入力エリアに関係内容データの関係名（退化）を入力する。必要があれば、矢印方向のチェックボックスにチェックを入れて矢印方向を変更し、線太さや線種、線色を変更する。さらに、年月日入力エリアに表示され年月日を変更することができ、ハイパーリンク情報（ＨＰＬ情報）入力エリアに表示されたハイパーリンクデータ（第２ハイパーリンクデータ）を変更することができる。
【００８１】
各入力エリアに表示されたデータを変更した後、適用ボタンをクリックすると、コンピュータ１０は、関係内容の番号（２）の関係名（進化）を関係名（退化）に書き換え、基本データの関係名（退化）と関係内容の番号（２）とを関連付けた後、関係名（退化）をデータベースの関係内容データファイル１８に格納（更新）する（データ改変手段、データ改変プロセス）。また、変更された年月日、ハイパーリンクデータと番号（２）とを関連付けた後、それらをデータベースの関係内容データファイル１８に格納（更新）する（データ改変手段、データ改変プロセス）。
【００８２】
図１９の基本データ変更画面からテキストボタン、数値ボタンのいずれかをクリックすることで、テキストデータ、数値データの変更を行うことができる。図１９の基本データ変更画面からテキストボタンをクリックすると、ディスプレイには、テキストデータの変更画面が表示される（図１６援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの関係内容データファイル１８に格納（更新）する（データ改変手段、データ改変プロセス）。
【００８３】
図１９の基本データ変更画面から数値ボタンをクリックすると、ディスプレイには、数値データの変更画面が表示される（図１７援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と番号（２）とを関連付けた後、それらをデータベースの関係内容データファイル１８に格納（更新）する（データ改変手段、データ改変プロセス）。
【００８４】
図２０は、関係内容データファイル１９に格納された各種データを削除する場合の関係内容データ設定画面の一例を示す図である。各種データを削除する手順の一例を説明すると、以下のとおりである。図３に示すＤＢメンテナンス画面において関係内容データのチェックボックスにチェックマークを入れ、設定ボタンをクリックすると、図２０に示す関係内容データ設定画面がディスプレイに表示される。図２０の設定画面のデータ一覧表示エリアには、関係内容番号（１）、（２）、（３）と関係名（進化）と矢印方向（１）とが表示される。図２０の設定画面において関係内容データ一覧表示エリアに表示された基本データから削除するデータを指定（選択）した後、削除ボタンをクリックする。図２０の画面では、関係内容番号（２）の関係名（進化）、矢印方向（１）を削除するものとする。
【００８５】
削除ボタンをクリックすると、ディスプレイには、削除の確認としてＯＫボタンとキャンセルボタンとが表示される。ＯＫボタンをクリックすると、コンピュータは、関係内容番号（２）の関係名（進化）、矢印方向（１）を関係内容データファイルから削除する（データ改変手段、データ改変プロセス）。なお、基本データの番号（２）および関係名（進化）を削除すると、コンピュータ１０は、年月日、ハイパーリンクデータの他の基本データを関係内容データファイル１８から削除し、さらに、それに関連するテキストデータや数値データを関係内容データファイル１８から削除する。
【００８６】
なお、テキストデータや数値データを削除することもできる。図１９の基本データ変更画面からテキストボタンをクリックすると、ディスプレイには、テキストデータの変更画面が表示される（図１６援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの関係内容データファイル１８に格納（更新）する（データ改変手段、データ改変プロセス）。
【００８７】
図１９の基本データ変更画面から数値ボタンをクリックすると、ディスプレイには、数値データの変更画面が表示される（図１７援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と番号とを関連付けた後、それらをデータベースの関係内容データファイル１８に格納（更新）する（データ改変手段、データ改変プロセス）。
【００８８】
図２１は、連繋データファイル１９に連繋データを格納する連繋データ設定画面の一例を示す図であり、図２２は、連繋データに関する基本データの追加画面の一例を示す図である。図２３は、連繋データに関するテキストデータの追加画面の一例を示す図であり、図２４は、連繋データに関する数値データの追加画面の一例を示す図である。図２２〜図２４では、基本データやテキストデータ、数値データの図示を省略している。
【００８９】
新規に連繋データを連繋データファイル１９に格納する手順の一例および連繋データを追加する手順の一例を説明すると、以下のとおりである。図３に示すＤＢメンテナンス画面において、連繋データのチェックボックスにチェックマークを入れた後、設定ボタンをクリックする。設定ボタンをクリックすると、ディスプレイには、図２１に示す連繋データの設定画面が表示される。設定画面には、表示設定エリア、データ一覧エリア、追加ボタン、変更ボタン、削除ボタン、閉じるボタンが表示される。なお、新規入力では連繋データが連繋データファイルに格納されていないから、図２１の設定画面のデータ一覧エリアに連繋データは表示されない。
【００９０】
図２１の表示画面において追加ボタンをクリックする。追加ボタンをクリックすると、ディスプレイには、図２２に示す連繋データに関する基本データの追加画面が表示される。図２２の追加画面には、各入力エリアとともに、基本タブ、テキストタブ、数値タブ、対象の入れ替えボタン、追加ボタン、キャンセルボタンが表示されている。対象（１）入力エリアに対象項目（α）を入力し、関係入力エリアに関係名（進化）を入力するとともに、対象（２）入力エリアに対象項目（β）を入力する。
【００９１】
なお、入力エリアの対象指定ボタンをクリックし、図１１と略同様の対象指定画面（図示せず）をディスプレイに表示させ、対象指定画面から対象項目を指定することで、対象項目データファイルに格納された対象項目を各対象（１）（２）入力エリアに自動的に入力することができる。また、入力エリアのドロップダウンボタンをクリックし、ドロップダウンリスト（図示せず）から関係名を指定することで、関係内容データファイルに格納された関係名を関係入力エリアに自動的に入力することができる。必要があれば、線太さや線種、線色を選択するとともに、ハイパーリンク情報（ＨＰＬ情報）入力エリアにハイパーリンクデータ（第３ハイパーリンクデータ）を入力する。基本データのうち、対象（１）、関係、対象（２）は必須入力事項であり、その他は任意入力事項である。なお、キャンセルボタンは図２２の追加画面をキャンセルする場合に使用する。
【００９２】
連繋データに関する基本データを入力した後、追加ボタンをクリックすると、コンピュータ１０は、入力エリアに入力された連繋データをデータベースの連繋データファイル１９に格納する。連繋データファイル１９では、対象項目（α）と対象項目（β）とが関係名（進化）を介して紐付けられ、２項関係に基づいてそれら対象項目どうしが連繋する。具体的には、（α）→進化（β）となる。なお、対象の入れ替えボタンをクリックすると、対象（１）入力エリアに入力された対象項目と対象（２）入力エリアに入力された対象項目とが入れ替わる。具体的には、対象（１）入力エリアの対象項目（α）が対象（２）入力エリアの対象項目となり、対象（２）入力エリアの対象項目（β）が対象（１）入力エリアの対象項目となり、（β）→進化（α）となる。
【００９３】
さらに必要があれば、連繋データのテキストデータ（第３テキストデータ）や数値データ（第３数値データ）を入力する。テキストデータを入力するには、図２２の追加画面に少なくとも対象（１）、関係、対象（２）を入力した後、テキストタブをクリックする。テキストタブをクリックすると、ディスプレイには、図２３に示すテキストデータの入力画面が表示される。図２３の追加画面には、タイトル入力エリアや内容入力エリアとともに、基本タブ、テキストタブ、数値タブ、追加ボタン、キャンセルボタンが表示されている。タイトル入力エリアにテキストデータのタイトルを入力するとともに、内容入力エリアにテキストデータの内容を入力した後、追加ボタンをクリックすると、コンピュータ１０は、それら入力エリアに入力されたテキストデータと連繋データの基本データとを関連付けた後、そのテキストデータをデータベースの連繋データファイル１９に格納する。
【００９４】
数値データを入力するには、図２２の追加画面に少なくとも対象（１）、関係、対象（２）を入力した後、数値タブをクリックする。数値タブをクリックすると、ディスプレイには、図２４に示す数値データの入力画面が表示される。図２４の入力画面には、タイトル入力エリアや内容入力エリアとともに、基本タブ、テキストタブ、数値タブ、追加ボタン、キャンセルボタンが表示されている。タイトル入力エリアに数値データのタイトルを入力するとともに、内容入力エリアに数値データの内容を入力した後、追加ボタンをクリックすると、コンピュータ１０は、それら入力エリアに入力された数値データと連繋データの基本データとを関連付けた後、その数値データをデータベースの連繋データファイル１９に格納する。
【００９５】
なお、関係（進化）を選択すると、それに対応する関係線が自動的に設定される。たとえば、選択した関係（進化）の関係線が一方向関係線の場合は、各対象（１）の対象項目（第１対象項目）から各対象（２）の対象項目（第２対象項目）を指し示す矢印が設定される。選択した関係（進化）の関係線が両方向関係線の場合は、各対象（１）の対象項目（第１対象項目）と各対象（２）の対象項目（第２対象項目）との双方を指し示す矢印が設定される。選択した関係（進化）の関係線が回帰関係線の場合は、各対象（１）の対象項目（第１対象項目）からその対象項目（第１対象項目）を指し示す矢印が設定され、または、各対象（２）の対象項目（第２対象項目）からその対象項目（第２対象項目）を指し示す矢印が設定される。
【００９６】
図２５は、連繋データが入力された後の連繋データ設定画面の一例を示す図であり、図２６は、連繋データファイル１９に格納された基本データを変更する変更画面の一例を示す図である。連繋データの新規入力では、連繋データとして、関係名（進化）とする対象項目（α）と対象項目（β）との連繋状態、関係名（その他）とする対象項目（α）と対象項目（γ）との連繋状態、関係名（進化）とする対象項目（β）と対象項目（δ）との連繋状態が入力されたものとする。それら連繋データが連繋データファイルに格納された後、図３に示すＤＢメンテナンス画面において連繋データのチェックボックスにチェックマークを入れ、設定ボタンをクリックすると、図２５に示す連繋データ設定画面がディスプレイに表示される。図２５の設定画面のデータ一覧エリアには、関係元名称（α）、（α）、（β）が表示され、関係（進化）が表示されるとともに、関係先名称（β）、（γ）、（δ）が表示される。図２２の追加画面において、ハイパーリンクデータを入力すると、図２５の連繋データ設定画面のデータ一覧表示エリアにそれが表示される。
【００９７】
あらたな連繋データを追加するには、図２５の画面から追加ボタンをクリックし、図２２〜図２４と同様の追加画面において連繋データの基本データやテキストデータ、数値データを追加入力する（データ改変手段、データ改変プロセス）。連繋データが追加されると、設定画面のデータ一覧表示エリアには、追加入力された連繋データが表示される。
【００９８】
連繋データファイル１９に格納された連繋データを変更する手順の一例を説明すると、以下のとおりである。図２５の設定画面において連繋データ一覧表示エリアに表示された連繋データから変更するデータを指定（選択）した後、変更ボタンをクリックする。図２５の設定画面では対象項目（α）と対象項目（γ）との連繋状態を変更するものとする。変更ボタンをクリックすると、ディスプレイには、図２６に示す連繋データ変更画面が表示される。図２６の変更画面には、各入力エリアとともに、基本タブ、テキストタブ、数値タブ、対象の入れ替えボタン、適用ボタン、キャンセルボタンが表示されている。
【００９９】
対象（１）入力エリアに対象項目（α）を入力し、関係入力エリアに関係名（進化）を入力するとともに、対象（２）入力エリアに対象項目（ε）を入力する。なお、入力エリアの対象指定ボタンをクリックし、図１１と略同様の対象指定画面（図示せず）をディスプレイに表示させ、対象指定画面から対象項目を指定することで、対象項目データファイルに格納された対象項目を各対象（１）（２）入力エリアに自動的に入力することができる。また、入力エリアのドロップダウンボタンをクリックし、ドロップダウンリスト（図示せず）から関係名を指定することで、関係内容データファイルに格納された関係名を関係入力エリアに自動的に入力することができる。必要があれば、線太さや線種、線色を変更することができ、ハイパーリンク情報（ＨＰＬ情報）入力エリアに表示されたハイパーリンクデータ（第３ハイパーリンクデータ）を変更することができる。
【０１００】
各入力エリアに表示されたデータを変更した後、適用ボタンをクリックすると、コンピュータ１０は、関係名（進化）とする対象項目（α）と対象項目（γ）との連繋状態を関係名（進化）とする対象項目（α）と対象項目（ε）との連繋状態に書き換え、関係名（進化）とする対象項目（α）と対象項目（ε）との連繋データをデータベースの連繋データファイル１９に格納（更新）する（データ改変手段、データ改変プロセス）。また、変更されたハイパーリンクデータと連繋データとを関連付けた後、それらをデータベースの関係内容データファイル１９に格納（更新）する（データ改変手段、データ改変プロセス）。連繋データファイル１９では、対象項目（α）と対象項目（ε）とが関係名（進化）の基に紐付けられ、２項関係に基づいてそれら対象項目どうしが連繋する。具体的には、（α）→進化（γ）が（α）→進化（ε）となる。
【０１０１】
図２６の変更画面からテキストボタン、数値ボタンのいずれかをクリックすることで、テキストデータ、数値データの変更を行うことができる。図２６の変更画面からテキストボタンをクリックすると、ディスプレイには、テキストデータの変更画面が表示される（図２３援用）。テキストデータの変更画面には、すでに入力されたタイトルや内容とともに、適用ボタンが表示される（図示せず）。テキストデータの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と連繋データの基本データとを関連付けた後、それらをデータベースの連繋データファイル１９に格納（更新）する（データ改変手段、データ改変プロセス）。
【０１０２】
図２６の変更画面から数値ボタンをクリックすると、ディスプレイには、数値データの変更画面が表示される（図２４援用）。数値データの変更画面では、すでに入力されたタイトルや内容とともに、適用ボタンが表示される（図示せず）。数値データの変更画面では、タイトル表示エリアに表示されたタイトルを変更することができ、内容表示エリアに表示された内容を変更することができる。各表示エリアに表示されたデータを変更した後、適用ボタンをクリックすると、コンピュータ１０は、変更されたタイトル、内容と連繋データの基本データとを関連付けた後、それらをデータベースの関係内容データファイル１９に格納（更新）する（データ改変手段、データ改変プロセス）。
【０１０３】
図２７は、連繋データファイル１９に格納された連繋データの各種データを削除する場合の連繋データ設定画面の一例を示す図である。各種データを削除する手順の一例を説明すると、以下のとおりである。図３に示すＤＢメンテナンス画面において連繋データのチェックボックスにチェックマークを入れ、設定ボタンをクリックすると、図２７に示す連繋データ設定画面がディスプレイに表示される。図２７の設定画面のデータ一覧表示エリアには、関係名（進化）とする対象項目（α）と対象項目（β）との連繋データ、関係名（進化）とする対象項目（α）と対象項目（γ）との連繋データ、関係名（進化）とする対象項目（β）と対象項目（δ）との連繋データが表示される。図２７の設定画面において連繋データ一覧表示エリアに表示された基本データから削除するデータを指定（選択）した後、削除ボタンをクリックする。図２７の画面では、関係名（進化）とする対象項目（α）と対象項目（γ）との連繋データを削除するものとする。
【０１０４】
削除ボタンをクリックすると、ディスプレイには、削除の確認としてＯＫボタンとキャンセルボタンとが表示される。ＯＫボタンをクリックすると、コンピュータ１０は、対象項目（α）と対象項目（γ）との連繋データを連繋データファイル１９から削除する（データ改変手段、データ改変プロセス）。なお、対象項目（α）と対象項目（γ）との連繋データを削除すると、コンピュータ１０は、ハイパーリンクデータの他の基本データを連繋データファイル１９から削除し、さらに、それに関連するテキストデータや数値データを連繋データファイル１９から削除する。
【０１０５】
なお、テキストデータや数値データを削除することもできる。図２６の基本データ変更画面からテキストボタンをクリックすると、ディスプレイには、テキストデータの変更画面が表示される（図２３援用）。テキストデータの変更画面には、すでに入力されたタイトルや内容とともに、適用ボタンが表示される（図示せず）。テキストデータの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と連繋データの基本データとを関連付けた後、それらをデータベースの連繋データファイル１９に格納（更新）する（データ改変手段、データ改変プロセス）。
【０１０６】
図２６の基本データ変更画面から数値ボタンをクリックすると、ディスプレイには、数値データの変更画面が表示される（図２４援用）。数値データの変更画面では、すでに入力されたタイトルや内容とともに、適用ボタンが表示される（図示せず）。数値データの変更画面において、タイトル表示エリアに表示されたタイトルを削除することができ、内容表示エリアに表示された内容を削除することができる。各表示エリアに表示されたデータを削除した後、適用ボタンをクリックすると、コンピュータ１０は、削除されたデータを除く残余のタイトル、内容と連繋データの基本データとを関連付けた後、それらをデータベースの連繋データファイル１９に格納（更新）する（データ改変手段、データ改変プロセス）。
【０１０７】
この関係図表作成システムおよび関係図表作成方法は、対象項目や対象項目に関する各種のデータ、対象項目どうしの連繋状態を自由に追加、変更、削除することができるから、異なる種類の対象項目や同一の対象項目を自由に組み合わせた多種多様な関係図表を作ることができる。
【０１０８】
図２８は、ＣＳＶファイル（Comma  Separated  Values）作成画面の一例を示す図であり、図２９は、ＣＳＶファイル作成の基礎となる関係図表の一例を示す図である。図２のメイン画面において各種ＣＳＶファイル作成ボタンをクリックする。各種ＣＳＶファイル作成ボタンをクリックすると、ディスプレイには、図２８に示すＣＳＶファイル作成画面が表示される。ＣＳＶファイル作成画面には、ＣＳＶファイル指定エリア、ＣＳＶファイル作成ボタン、閉じるボタンが表示されている。ＣＳＶファイル指定エリアには、すべての枝のＣＳＶファイル作成チェックボックス、２つの対象間に存在するすべてのパスのＣＳＶファイル作成チェックボックス、対象ごとの直接関係数についてのＣＳＶファイル作成チェックボックス、対象ごとの直接関係名称についてのＣＳＶファイル作成チェックボックスが表示されている。
【０１０９】
図３０は、すべての枝について作成されたＣＳＶファイルの一例を示す図である。図３０では、ディスプレイに表示されたＣＳＶファイルのみを示し、ディスプレイの他の部分は省略している。図２８の（ＣＳＶファイル作成画面においてすべての枝のＣＳＶファイル作成チェックボックス）にチェックマークを入れた後、ＣＳＶファイル作成ボタンをクリックする。ＣＳＶファイル作成ボタンをクリックすると、コンピュータ１０は、図２９の関係図表のすべての枝についてＣＳＶファイルを作成し、作成したＣＳＶファイルをディスプレイに表示する。コンピュータ１０は、作成したすべての枝についてのＣＳＶファイルを作成日時とともにデータベースのＣＳＶ第１ファイル２１に格納する。
【０１１０】
ディスプレイには、Ａ−１セルに（α）、Ｂ−１セルに（→）、Ｃ−１セルに（β）、Ｄ−１セルに（→）、Ｅ−１セルに（γ）が表示され、先頭対象項目（α）から一方向関係線で結ばれた下位の各対象項目（β）が並び、対象項目（β）から一方向関係線で結ばれた下位の各対象項目（γ）が並んだＳＣＶが表示される。Ａ−２セルに（α）、Ｂ−２セルに（→）、Ｃ−２セルに（β）、Ｄ−２セルに（→）、Ｅ−２セルに（δ）が表示され、先頭対象項目（α）から一方向関係線で結ばれた下位の各対象項目（β）が並び、対象項目（β）から一方向関係線で結ばれた下位の各対象項目（δ）が並んだＳＣＶが表示される。また、Ａ−３セルに（ε）、Ｂ−３セルに（→）、Ｃ−３セルに（ζ）が表示され、先頭対象項目（ε）から一方向関係線で結ばれた下位の各対象項目（ζ）が並んだＳＣＶが表示される。さらに、Ａ−４セルに（ε）、Ｂ−４セルに（→）、Ｃ−４セルに（η）が表示され、先頭対象項目（ε）から一方向関係線で結ばれた下位の各対象項目（η）が並んだＳＣＶが表示される。ディスプレイに表示されたＣＳＶファイルは、プリンタから出力することができる。
【０１１１】
図３１は、２つの対象間に存在するすべてのパスについて作成されたＣＳＶファイルの一例を示す図である。図３１では、ディスプレイに表示されたＣＳＶファイルのみを示し、ディスプレイの他の部分は省略している。ここで、パスとは、一方の対象項目から他方の対象項目までの関係の繋がりを指す。図２８の（２つの対象間に存在するすべてのパスのＣＳＶファイル作成チェックボックス）にチェックマークを入れ、対象（１）入力エリアに（α）を入力するとともに、対象（２）入力エリアに（γ）を入力する。なお、入力エリアの対象指定ボタンをクリックし、対象指定画面（図示せず）をディスプレイに表示させ、対象指定画面から対象項目を指定することで、対象項目データファイルに格納された対象項目を各対象（１）（２）入力エリアに自動的に入力することができる。それらを入力した後、ＣＳＶファイル作成ボタンをクリックする。ＣＳＶファイル作成ボタンをクリックすると、コンピュータ１０は、図２９の関係図表のうちの対象項目（α）から対象項目（γ）の間に存在するすべてのパスのＣＳＶファイルを作成し、作成したＣＳＶファイルをディスプレイに表示する。コンピュータ１０は、作成した２つの対象間についてのＣＳＶファイルを作成日時とともにデータベースのＣＳＶ第２ファイル２２に格納する。
【０１１２】
ディスプレイには、Ａ−１セルに（α）、Ｂ−１セルに（→）、Ｃ−１セルに（β）、Ｄ−１セルに（→）、Ｅ−１セルに（γ）が表示され、先頭対象項目（α）から一方向関係線で結ばれた下位の各対象項目（β）が並び、対象項目（β）から一方向関係線で結ばれた下位の各対象項目（γ）が並んだＳＣＶが表示される。ディスプレイに表示されたＣＳＶファイルは、プリンタから出力することができる。
【０１１３】
図３２は、対象ごとの直接関係数についてのＣＳＶファイルの一例を示す図である。図３２では、ディスプレイに表示されたＣＳＶファイルのみを示し、ディスプレイの他の部分は省略している。図２８の（対象ごとの直接関係数についてのＣＳＶファイル作成チェックボックス）にチェックマークを入れた後、ＣＳＶファイル作成ボタンをクリックする。ＣＳＶファイル作成ボタンをクリックすると、コンピュータは、図２９の関係図表において連繋する対象項目の関係元数、関係先数、合計を算出し、それらをディスプレイに表示する。ディスプレイのＡセルに関係元数、Ｂセルに対象項目の名称、Ｃセルに関係先数、Ｄセルに合計が表示される。
【０１１４】
対象項目（α）は、関係元が（０）、関係先は対象項目（β）であり、関係先が（１）、合計が（１）である。対象項目（β）は、関係元が（α）であり、関係元が（１）、関係先は対象項目（γ）、（δ）であり、関係先が（２）、合計が（３）である。対象項目（γ）は、関係元が（β）であり、関係元が（１）、関係先が（０）であり、合計は（１）である。対象項目（δ）は、関係元が（β）であり、関係元が（１）、関係先が（０）であり、合計は（１）である。対象項目（ε）は、関係元が（０）、関係先は対象項目（ζ）、（η）であり、関係先が（２）、合計が（２）である。対象項目（ζ）は、関係元が（ε）であり、関係元が（１）、関係先が（０）であり、合計は（１）である。対象項目（η）は、関係元が（ε）であり、関係元が（１）、関係先が（０）であり、合計は（１）である。コンピュータ１０は、作成した対象ごとの直接関係数についてのＣＳＶファイルを作成日時とともにデータベースのＣＳＶ第３ファイル２３に格納する。
【０１１５】
図３３は、対象ごとの直接関係名称についてのＣＳＶファイルの一例を示す図である。図３３では、ディスプレイに表示されたＣＳＶファイルのみを示し、ディスプレイの他の部分は省略している。図２８の（対象ごとの直接関係名称についてのＣＳＶファイル作成チェックボックス）にチェックマークを入れた後、ＣＳＶファイル作成ボタンをクリックする。ＣＳＶファイル作成ボタンをクリックすると、コンピュータは、図２９の関係図表において連繋する対象項目の関係元名称、名称、関係先名称をディスプレイに表示する。ディスプレイのＡセルに関係元名称、Ｂセルに対象項目の名称、Ｃセルに関係先名称が表示される。
【０１１６】
対象項目（α）は、関係元はなく、関係先が（β）であり、対象項目（α）の関係先名称として（β）が表示される。対象項目（β）は、関係元が（α）であり、対象項目（β）の関係元名称として（α）が表示され、関係先が（γ）、（δ）であり、対象項目（β）の関係先名称として（γ）、（δ）が表示される。対象項目（γ）は、関係先はなく、関係元が（β）であり、対象項目（γ）の関係元名称として（β）が表示される。対象項目（δ）は、関係先はなく、関係元が（β）であり、対象項目（δ）の関係元名称として（β）が表示される。対象項目（ε）は、関係元はなく、関係先が（ζ）、（η）であり、対象項目（ε）の関係先名称として（ζ）、（η）が表示される。対象項目（ζ）は、関係先はなく、関係元が（ε）であり、対象項目（ζ）の関係元名称として（ε）が表示される。対象項目（η）は、関係先はなく、関係元が（ε）であり、対象項目（η）の関係元名称として（ε）が表示される。コンピュータ１０は、作成した対象ごとの直接関係名称についてのＣＳＶファイルを作成日時とともにデータベースのＣＳＶ第４ファイル２４に格納する。
【０１１７】
図３４，３５は、このシステムによって作成された関係図表の一例を示す図である。図２のメイン画面のＤＢファイルエリアにおいて参照をクリックし、ＤＢファイルエリアに表示された複数の連繋データファイル名から関係図表を作成するための連繋データファイル名を指定し、関係図表作成をコンピュータ１０に指示する。なお、描画スタイルを指定し、作成する関係図表のうち、（全件）、（特定の対象に関連するデータ）、（特定の対象の枝）のいずれかを指定するとともに、関係の定義されていない対象項目の描画の有無を指定し、関係名の表示の有無を指定する。図３４，３５の関係図表では、全件、関係の定義されていない対象項目の描画の無、関係名の表示の有を指定したものとする。関係の定義されていない対象項目の描画とは、関係線でつながれることなく、単独で存在する対象項目データをいい、関係名の表示とは、関係線に表示される関係名（進化、退化、変異等）をいう。
【０１１８】
それら条件を指定した後、関係図表作成ボタンをクリックすると、コンピュータ１０は、指定された連繋データファイル名の連繋データを連繋データファイル１９から抽出し、抽出した連繋データの連携状態（２項関係）を参照しつつ、一定の規則に基づいてそれら連携状態を統合する（連繋状態統合手段、連繋状態統合プロセス）。コンピュータ１０は、統合した連携状態に基づいて各種複数の対象項目どうしを関係線を介して一連につなげることで、それら対象項目どうしの関係を表した関係図表を作成する（関係図表作成手段、関係図表作成プロセス）。コンピュータ１０は、作成した関係図表を作成日時とともに関係図表ファイル２０に格納する（関係図表格納手段、関係図表格納プロセス）。
【０１１９】
たとえば、指定した連繋データファイル名の連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（δ）とが関係名（進化）を介して紐付けられた（β）→進化（δ）のデータがあるとする。
【０１２０】
コンピュータ１０は、（α）と（β）と（γ）とを統合し、（α）→進化（β）→進化（γ）の連繋状態を構築し、（α）と（β）と（δ）とを統合し、（α）→進化（β）→進化（δ）の連繋状態を構築した後、それらをさらに統合する（連繋状態統合手段、連繋状態統合プロセス）。それによって、対象項目（α）に一方向関係線を介して対象項目（β）がつながり、対象項目（β）に一方向関係線を介して対象項目（γ）と対象項目（δ）とが並列につながった関係図表を作成する（関係図表作成手段、関係図表作成プロセス）。コンピュータ１０は、作成した関係図表を関係図表ファイル２０に格納し関係図表格納手段（関係図表格納プロセス）、作成した関係図表を出力装置１５を介して出力する関係図表出力手段（関係図表出力プロセス）。
【０１２１】
描画スタイルの（左上から下へ）を指定した場合は、図３４の（Ａ）に示す関係図表が作成される。図３４の（Ａ）では、左上に位置する（α）から下方へ向かって（β）がつながり、（β）から右方向下方へ向かって（γ）と（δ）とが並列につながっている。描画スタイルの（左上から右へ）を指定した場合は、図３４の（Ｂ）に示す関係図表が作成される。図３４の（Ｂ）では、左上に位置する（α）から右方向へ向かって（β）がつながり、（β）から右方向下方へ向かって（γ）と（δ）とが並列につながっている。描画スタイルの（左下から上へ）を指定した場合は、図３４の（Ｃ）に示す関係図表が作成される。図３４の（Ｃ）では、左下に位置する（α）から上方へ向かって（β）がつながり、（β）から右方向上方へ向かって（γ）と（δ）とが並列につながっている。描画スタイルの（左下から右へ）を指定した場合は、図３４の（Ｄ）に示す関係図表が作成される。図３４の（Ｄ）では、左下に位置する（α）から右方向へ向かって（β）がつながり、（β）から右方向上方へ向かって（γ）と（δ）とが並列につながっている。
【０１２２】
たとえば、指定した連繋データファイル名の連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（α）とが関係名（進化）を介して紐付けられた（β）→進化（α）のデータがあるとする。
【０１２３】
コンピュータ１０は、（α）と（β）と（γ）とを統合し、（α）→進化（β）→進化（γ）の連繋状態を構築し、（α）と（β）と（α）とを統合し、（α）→進化（β）→進化（α）の連繋状態を構築した後、それらをさらに統合する（連繋状態統合手段、連繋状態統合プロセス）。それによって、同一の対象項目（α）を含み、対象項目（α）に一方向関係線を介して対象項目（β）がつながり、対象項目（β）に一方向関係線を介して対象項目（γ）と対象項目（α）とが並列につながった関係図表を作成する（関係図表作成手段、関係図表作成プロセス）。コンピュータ１０は、作成した関係図表を関係図表ファイル２０に格納し関係図表格納手段（関係図表格納プロセス）、作成した関係図表を出力装置１５を介して出力する関係図表出力手段（関係図表出力プロセス）。
【０１２４】
描画スタイルの（右上から下へ）を指定した場合は、図３５の（Ａ）に示す関係図表が作成される。図３５の（Ａ）では、右上に位置する（α）から下方へ向かって（β）がつながり、（β）から左方向下方へ向かって（γ）と（α）とが並列につながっている。描画スタイルの（右上から左へ）を指定した場合は、図３５の（Ｂ）に示す関係図表が作成される。図３５の（Ｂ）では、右上に位置する（α）から左方向へ向かって（β）がつながり、（β）から左方向下方へ向かって（γ）と（α）とが並列につながっている。描画スタイルの（右下から上へ）を指定した場合は、図３５の（Ｃ）に示す関係図表が作成される。図３５の（Ｃ）では、右下に位置する（α）から上方へ向かって（β）がつながり、（β）から左方向上方へ向かって（γ）と（α）とが並列につながっている。描画スタイルの（右下から左へ）を指定した場合は、図３５の（Ｄ）に示す関係図表が作成される。図３５の（Ｄ）では、右下に位置する（α）から左方向へ向かって（β）がつながり、（β）から左方向上方へ向かって（γ）と（α）とが並列につながっている。
【０１２５】
図２のメイン画面において作成する関係図表の欄の（特定の対象に関連するデータ）のチェックボックスにチェックマークを入れ、特定の対象に対象項目（β）を指定して関係図表を作成すると、特定の対象（β）を含むグループから形成された関係図表が作成される。この場合は、特定の対象（β）に関連する対象項目（α）、（γ）、（δ）を含む関係図表が作成される。具体的には、対象項目（α）に一方向関係線を介して対象項目（β）がつながり、対象項目（β）に一方向関係線を介して対象項目（γ）と対象項目（δ）とが並列につながった関係図表が作成される。特定の対象として（γ）を指定すると、特定の対象（γに関連する対象項目（β）を含む関係図表が作成される。具体的には、対象項目（β）に一方向関係線を介して対象項目（γ）が並列につながった関係図表が作成される。コンピュータ１０は、（特定の対象に関連するデータ）について関係図表を作成した後、その関係図表を作成日時とともに関係図表ファイル２０に格納する。
【０１２６】
図２のメイン画面において作成する関係図表の欄の（特定の対象の枝）のチェックボックスにチェックマークを入れ、特定の対象に対象項目（β）を指定して関係図表を作成すると、特定の対象（β）から延びる関係線につながった対象項目を含むグループから形成された関係図表が作成される。この場合は、特定の対象（β）に関連する対象項目（γ）、（δ）を含む関係図表が作成される。具体的には、対象項目（β）に一方向関係線を介して対象項目（γ）と対象項目（δ）とが並列につながった関係図表が作成される。コンピュータ１０は、（特定の対象の枝）について関係図表を作成した後、その関係図表を作成日時とともに関係図表ファイル２０に格納する。
【０１２７】
図３６は、作成された関係図表から対象項目情報を表示させた場合の表示画面の一例を示す図である。図３６では、対象項目情報の表示を省略している。ディスプレイに表示された関係図表において所定の対象項目（α）をクリック（指定）すると、ディスプレイには、その対象項目（α）に対する対象項目データ表示の指定画面が表示される。さらに、対象項目データ表示を選択すると、ディスプレイには、図３６に示すように、対象項目（α）の基本データの詳細が表示される。なお、ハイパーリンクデータ（第１ハイパーリンクデータ）をクリックすると、対象項目にリンクするハイパーリンクデータがディスプレイに表示される。さらに、テキストタブをクリックすると、対象項目（α）のテキストデータ（第１テキストデータ）の詳細がディスプレイに表示され（図示せず）、数値タブをクリックすると、対象項目（α）の数値データ（第１数値データ）の詳細がディスプレイに表示される（図示せず）。
【０１２８】
この関係図表作成システムおよび関係図表作成方法は、対象項目に関する対象項目データの基本データをそれら対象項目毎に個別に出力することができるから、各対象項目の各種の属性情報を知ることができ、作成された関係図表から各対象項目を具体的に把握することができる。関係図表作成システムおよび関係図表作成方法は、対象項目に関するハイパーリンクデータを利用することで、対象項目にリンクするリンク情報を知ることができ、作成された関係図表から各対象項目を一層具体的に把握することができる。また、対象項目に関するテキストデータを利用することで、対象項目の各種テキスト情報を知ることができ、作成された関係図表から各対象項目を一層具体的に把握することができる。さらに、対象項目に関する数値データを利用することで、対象項目の各種数値情報を知ることができる。
【０１２９】
図３７は、作成された関係図表から関係内容情報を表示させた場合の表示画面の一例を示す図である。図３７では、関係内容情報の表示を省略している。ディスプレイに表示された関係図表において対象項目（α）と（β）との間の関係線（進化）をクリック（指定）すると、ディスプレイには、その関係線（進化）に対する関係内容データ表示の指定画面が表示される。さらに、関係内容データ表示を選択すると、ディスプレイには、図３７に示すように、関係線（進化）の関係内容データの基本データ詳細が表示される。なお、ハイパーリンクデータ（第２ハイパーリンクデータ）をクリックすると、関係内容データにリンクするハイパーリンクデータがディスプレイに表示される。さらに、テキストタブをクリックすると、関係内容データに関するテキストデータ（第２テキストデータ）の詳細がディスプレイに表示され（図示せず）、数値タブをクリックすると、関係内容データに関する数値データ（第２数値データ）の詳細がディスプレイに表示される（図示せず）。
【０１３０】
この関係図表作成システムおよび関係図表作成方法は、関係線に関する関係内容データの基本データをそれら関係線毎に個別に出力することができるから、各関係線が表す関係の内訳を知ることができ、作成された関係図表から対象項目どうしの関係内容を具体的に把握することができる。関係図表作成システムおよび関係図表作成方法は、関係内容に関するハイパーリンクデータを利用することで、関係内容にリンクするリンク情報を知ることができ、作成された関係図表から対象項目どうしの各関係を一層具体的に把握することができる。また、関係内容に関するテキストデータを利用することで、関係内容に関する各種のテキスト情報を知ることができ、作成された関係図表から対象項目どうしの各関係を一層具体的に把握することができる。さらに、関係内容に関する数値データを利用することで、対象項目どうしの各関係に関する各種の数値情報を知ることができる。
【０１３１】
図３８は、作成された関係図表から連繋情報を表示させた場合の表示画面の一例を示す図である。図３８では、連繋情報の表示を省略している。ディスプレイに表示された関係図表において対象項目（α）と（β）との間の関係線（進化）をクリック（指定）すると、ディスプレイには、その関係線（進化）に対する連繋データ表示の指定画面が表示される。さらに、連繋データ表示を選択すると、ディスプレイには、図３８に示すように、関係線（進化）の連繋データの基本データ詳細が表示される。関係が定義されていない対象項目では、その対象項目単独が表示される。なお、ハイパーリンクデータ（第３ハイパーリンクデータ）をクリックすると、連繋データにリンクするハイパーリンクデータがディスプレイに表示される。さらに、テキストタブをクリックすると、連繋データに関するテキストデータ（第３テキストデータ）の詳細がディスプレイに表示され（図示せず）、数値タブをクリックすると、連繋データに関する数値データ（第３数値データ）の詳細がディスプレイに表示される（図示せず）。
【０１３２】
この関係図表作成システムおよび関係図表作成方法は、関係図表において対象項目どうしの連繋データの基本データを出力することができるから、対象項目どうしの連繋状態を知ることができ、作成された関係図表から対象項目どうしの連繋状態を具体的に把握することができる。関係図表作成システムおよび関係図表作成方法は、連繋データに関するハイパーリンクデータを利用することで、連繋データに表示された対象項目にリンクするリンク情報を知ることができ、作成された関係図表か対象項目を一層具体的に把握することができる。また、連繋データに関するテキストデータを利用することで、連繋データに表示された対象項目の各種のテキスト情報を知ることができ、作成された関係図表から対象項目を一層具体的に把握することができる。さらに、連繋データに関する数値データを利用することで、連繋データに表示された対象項目の各種の数値情報を知ることができる。
【０１３３】
図３９は、関係図表作成時の第１の規則の説明図であり、図４０は、その規則によって作成された関係図表の一例を示す図である。図３９では、ディスプレイに表示された関係データのみを示し、ディスプレイの他の部分は省略している。図３９，４０に基づいて第１の規則を説明すると、以下のとおりである。指定した連繋データファイル１９に格納された連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（δ）とが関係名（進化）を介して紐付けられた（β）→進化（δ）のデータ、対象項目（β）と対象項目（ε）とが関係名（進化）を介して紐付けられた（β）→進化（ε）のデータ、対象項目（α）と対象項目（ζ）とが関係名（変異）を介して紐付けられた（α）→変異（ζ）のデータ、関係の定義されない対象項目（η）のデータがあるとする。
【０１３４】
第１の規則では、対象項目のうちの関係元の存在しない対象項目を先頭に配置して関係図表が作成される。対象項目（γ）、（δ）、（ε）の関係元は対象項目（β）であり、対象項目（β）の関係元は対象項目（α）である。対象項目（ζ）の関係元は対象項目（α）であり、対象項目（α）と対象項目（η）とは関係元が存在しない対象項目である。したがって、対象項目（α）と対象項目（η）とが最上位の対象項目（最上位項目）として関係図表の先頭に配置される。なお、最上位項目（α）、（η）が複数ある場合、どれを先に表示するかは、関係先の有無によって判断される。対象項目（α）には関係先（β）と（ζ）とが存在するが、対象項目（η）には関係先が存在しない。したがって、関係図表では、対象項目（α）が対象項目（η）よりも先に表示される。
【０１３５】
図４０では、図２のメイン画面において描画スタイル（左上から下へ）を指定し、関係の定義されていない対象項目の表示有りを指定し、関係図表作成を指示した場合の画面である。コンピュータ１０は、（α）と（β）と（γ）とを統合し、（α）→進化（β）→進化（γ）の連繋状態を構築し、（α）と（β）と（δ）とを統合し、（α）→進化（β）→進化（δ）の連繋状態を構築し、（α）と（β）と（ε）とを統合し、（α）→進化（β）→進化（ε）の連繋状態を構築するとともに、（α）と（ζ）とを統合し、（α）→進化（ζ）の連繋状態を構築する。コンピュータは、それらをさらに統合する（連繋状態統合手段、連繋状態統合プロセス）。それによって、対象項目（α）に一方向関係線を介して対象項目（β）がつながり、対象項目（α）に一方向関係線を介して対象項目（ζ）がつながるとともに、対象項目（β）に一方向関係線を介して対象項目（γ）と対象項目（δ）と対象項目（ε）とが並列につながり、対象項目（η）が単独で存在する関係図表を作成する（関係図表作成手段、関係図表作成プロセス）。図４０では、左上に位置する（α）から下方へ向かって（β）がつながり、（α）から右方向下方へ向かって（ζ）がつながるとともに、（β）から右方向下方へ向かって（γ）と（δ）と（ε）とが並列につながっている。（η）は（α）の右方に位置して単独で存在している。なお、関係の定義されていない対象項目の表示無を指定すると、（η）は表示されない。
【０１３６】
この関係図表作成システムおよび関係図表作成方法は、対象項目のうちの関係元の存在しない対象項目を先頭に配置して関係図表を作成するから、複数の対象項目の中から関係図表の先頭に配置する対象項目を一義的に決定することができ、それら対象項目の配置が不明確になることによる関係図表の作成不能を防ぐことができる。関係図表作成システムおよび関係図表作成方法は、それら対象項目が不規則に連繋することはなく、作成された関係図表におけるそれら対象項目どうしの関係の不明確を防ぐことができる。
【０１３７】
図４１は、関係図表作成時の第２の規則の説明図であり、図４２は、その規則によって作成された関係図表の一例を示す図である。図４１では、ディスプレイに表示された関係データのみを示し、ディスプレイの他の部分は省略している。図４１，４２に基づいて第２の規則を説明すると、以下のとおりである。指定した連繋データファイル１９に格納された連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（δ）とが関係名（進化）を介して紐付けられた（β）→進化（δ）のデータ、対象項目（β）と対象項目（ε）とが関係名（進化）を介して紐付けられた（β）→進化（ε）のデータ、対象項目（α）と対象項目（ζ）とが関係名（変異）を介して紐付けられた（α）→変異（ζ）のデータ、対象項目（ε）と対象項目（α）とが関係名（変異）を介して紐付けられた（ε）→変異（α）のデータがあるとする。
【０１３８】
第２の規則では、対象項目のすべてに関係元が存在する場合、各種複数の関係内容のうちの一番多い関係内容によって連繋する第１対象項目と第２対象項目との中から連繋データに最初に表れる第１対象項目を抽出し、抽出したその第１対象項目を先頭に配置して関係図表が作成される。対象項目（γ）、（δ）、（ε）の関係元は対象項目（β）であり、対象項目（β）の関係元は対象項目（α）である。対象項目（ζ）の関係元は対象項目（α）であり、対象項目（α）の関係元は対象項目（ε）である。したがって、対象項目のすべてに関係元が存在する。この場合、一番多い関係内容（進化）であり、関係内容（進化）によって連繋する対象項目のうち、連繋データに最初に表れる連携関係は対象項目（α）と対象項目（β）のそれである。ゆえに、対象項目（α）が最上位の対象項目（最上位項目）として関係図表の先頭に配置される。
【０１３９】
図４２では、図２のメイン画面において描画スタイル（左上から下へ）を指定し、関係図表作成を指示した場合の画面である。コンピュータ１０は、（α）と（β）と（γ）とを統合し、（α）→進化（β）→進化（γ）の連繋状態を構築し、（α）と（β）と（δ）とを統合し、（α）→進化（β）→進化（δ）の連繋状態を構築し、（α）と（β）と（ε）とを統合し、（α）→進化（β）→進化（ε）の連繋状態を構築するとともに、（α）と（ζ）とを統合し、（α）→進化（ζ）の連繋状態を構築する。コンピュータ１０は、それらをさらに統合する（連繋状態統合手段、連繋状態統合プロセス）。それによって、対象項目（α）に一方向関係線を介して対象項目（β）がつながり、対象項目（α）に一方向関係線を介して対象項目（ζ）がつながるとともに、対象項目（β）に一方向関係線を介して対象項目（γ）と対象項目（δ）と対象項目（ε）とが並列につながり、対象項目（ε）に一方向関係線を介して対象項目（α）がつながる関係図表を作成する（関係図表作成手段、関係図表作成プロセス）。図４２では、左上に位置する（α）から下方へ向かって（β）がつながり、（α）から右方向下方へ向かって（ζ）がつながるとともに、（β）から右方向下方へ向かって（γ）と（δ）と（ε）とが並列につながっている。
【０１４０】
この関係図表作成システムおよび関係図表作成方法は、対象項目のすべてに関係元が存在したとしても、一番多い関係内容によって連繋しつつ連繋データに最初に表れる対象項目を先頭に配置することで、関係図表を作成することができるから、システムにおける関係図表の作成不能を防ぐことができるとともに、作成された関係図表におけるそれら対象項目どうしの関係の不明確を防ぐことができる。関係図表作成システムおよび関係図表作成方法は、関係図表が所定の規則にしたがって作成されるから、同一内容の関係図表が各種の異なる形態で作成されることによる関係図表の不統一を防ぐことができる。
【０１４１】
図４３は、関係図表作成時の第３の規則の説明図であり、図４４は、その規則によって作成された関係図表の一例を示す図である。図４３では、ディスプレイに表示された関係データのみを示し、ディスプレイの他の部分は省略している。図４３，４４に基づいて第３の規則を説明すると、以下のとおりである。指定した連繋データファイル１１９に格納された連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（δ）とが関係名（進化）を介して紐付けられた（β）→進化（δ）のデータ、対象項目（ε）と対象項目（ζ）とが関係名（退化）を介して紐付けられた（ε）→退化（ζ）のデータ、対象項目（ε）と対象項目（η）とが関係名（退化）を介して紐付けられた（ε）→退化（η）のデータがあるとする。
【０１４２】
第３の規則では、各種複数の関係図表が並列して存在する場合、各種複数の関係内容のうちの一番多い関係内容を有する関係図表が最先に配置される。対象項目（α）と対象項目（ε）とは関係元がないから、第１の規則によって両者を先頭に配置した２つの関係図表が作成される。この場合、どちらの関係図表が先頭に配置するかは、一番多い関係内容を有する関係図表が最先に配置される。対象項目（α）の関係内容（進化）３つであり、対象項目（ε）の関係内容（退化）は２つである。したがって、対象項目（α）を含む関係図表が先頭には位置される。
【０１４３】
図４４では、図２のメイン画面において描画スタイル（左上から下へ）を指定し、関係図表作成を指示した場合の画面である。コンピュータ１０は、（α）と（β）と（γ）とを統合し、（α）→進化（β）→進化（γ）の連繋状態を構築し、（α）と（β）と（δ）とを統合し、（α）→進化（β）→進化（δ）の連繋状態を構築した後、それらをさらに統合し（連繋状態統合手段、連繋状態統合プロセス）、対象項目（α）に一方向関係線を介して対象項目（β）がつながり、対象項目（β）に一方向関係線を介して対象項目（γ）と対象項目（δ）とが並列につながる関係図表を作成する（関係図表作成手段、関係図表作成プロセス）。コンピュータ１０は、（ε）と（ζ）とを統合し、（ε）→進化（ζ）の連繋状態を構築し、（ε）と（η）とを統合し、（ε）→進化（η）の連繋状態を構築した後、それらをさらに統合し（連繋状態統合手段、連繋状態統合プロセス）、対象項目（ε）に一方向関係線を介して対象項目（ζ）と対象項目（η）とが並列につながる関係図表を作成する（関係図表作成手段、関係図表作成プロセス）。図４４では、左上に位置する（α）から下方へ向かって（β）がつながり、（β）から右方向下方へ向かって（γ）と（δ）とが並列につながっている。さらに、（α）の右方に位置する（ε）から右方向下方へ向かって（ζ）と（η）とが並列につながっている。
【０１４４】
この関係図表作成システムおよび関係図表作成方法は、各種複数の関係図表が存在したとしても、一番多い関係内容を有する関係図表を最先に配置することで、多数の関係図表が整然と並存する関係図表を作成することができる。関係図表作成システムおよび関係図表作成方法は、関係図表が所定の規則にしたがって整然と並ぶから、各種複数の関係図表が不統一に並んだ関係図表が作成されることはなく、それら関係図表が煩雑に並ぶことによる関係図表の見難さを防ぐことができる。
【０１４５】
図４５は、関係図表作成時の第４の規則によって作成された関係図表の一例を示す図である。図４５に基づいて第４の規則を説明すると、以下のとおりである。指定した連繋データファイルに格納された連繋データとして、対象項目（α）と対象項目（β）とが関係名（進化）を介して紐付けられた（α）→進化（β）のデータ、対象項目（β）と対象項目（γ）とが関係名（進化）を介して紐付けられた（β）→進化（γ）のデータ、対象項目（β）と対象項目（δ）とが関係名（進化）を介して紐付けられた（β）→進化（δ）のデータ、対象項目（ε）と対象項目（ζ）とが関係名（進化）を介して紐付けられた（ε）→進化（ζ）のデータ、対象項目（ε）と対象項目（η）とが関係名（進化）を介して紐付けられた（ε）→進化（η）のデータ、対象項目（η）と対象項目（ε）とが関係名（進化）を介して紐付けられた（η）→進化（ε）のデータがあるとする。
【０１４６】
第４の規則では、関係図表を作成した後、対象項目の中から関係図表に含まれない関係図表外対象項目を抽出し、最先に抽出した関係図表外対象項目を先頭に配置しつつそれら関係図表外対象項目から形成された関係図表を作成する。図４５の関係図表では、対象項目（α）に関係元がないため、（α）が最上位の対象項目となる関係図表が作成されて処理が終了し、そのままでは対象項目（ε）、（ζ）、（η）は表示されない。それを回避するため、関係図表を作成した後、図表に含まれない関係図表外対象項目（ε）、（ζ）、（η）を抽出し、最先に抽出された関係図表外対象項目（ε）を最上位の対象項目とする関係図表を作成する。
【０１４７】
図４５では、図２のメイン画面において描画スタイル（左上から下へ）を指定し、関係図表作成を指示した場合の画面である。コンピュータ１０は、（α）と（β）と（γ）とを統合し、（α）→進化（β）→進化（γ）の連繋状態を構築し、（α）と（β）と（δ）とを統合し、（α）→進化（β）→進化（δ）の連繋状態を構築した後、それらをさらに統合し（連繋状態統合手段、連繋状態統合プロセス）、対象項目（α）に一方向関係線を介して対象項目（β）がつながり、対象項目（β）に一方向関係線を介して対象項目（γ）と対象項目（δ）とが並列につながる関係図表を作成する（関係図表作成手段、関係図表作成プロセス）。コンピュータ１０は、図表に含まれない対象項目（ε）、（ζ）、（η）を抽出し、最先に抽出された対象項目（ε）を最上位の対象項目にして、（ε）と（ζ）とを統合し、（ε）→進化（ζ）の連繋状態を構築し、（ε）と（η）とを統合し、（ε）→進化（η）の連繋状態を構築した後、それらをさらに統合し（連繋状態統合手段、連繋状態統合プロセス）、対象項目（ε）に一方向関係線を介して対象項目（ζ）がつながり、対象項目（ε）と対象項目（η）とが双方向線を介してつながる関係図表を作成する（関係図表作成手段、関係図表作成プロセス）。図４５では、左上に位置する（α）から下方へ向かって（β）がつながり、（β）から右方向下方へ向かって（γ）と（δ）とが並列につながっている。さらに、（α）の右方に位置する（ε）から右方向下方へ向かって（ζ）と（η）とが並列につながっている。
【０１４８】
この関係図表作成システムおよび関係図表作成方法は、関係図表を作成した後、対象項目データの中から関係図表に含まれない対象項目を抽出し、最先に抽出した対象項目を先頭に配置しつつそれら対象項目から形成された関係図表を作成するから、関係元がない対象項目を先頭に配置して関係図表が作成された後に、関係元を有する対象項目が関係図表に含まれずに残存してしまうことを防ぐことができ、すべての対象項目を関係図表として表示することができる。
【０１４９】
この関係図表作成システムおよび関係図表作成方法は、対象項目どうしの関係内容を識別可能な関係線を介してそれら対象項目どうしを一連につなげることで、それら対象項目どうしの関係を表した関係図表を作成するから、それら対象項目どうしの関係内容を把握することが可能な関係図表を作ることができる。関係図表作成システムおよび関係図表作成方法は、関係線によって連繋する任意の第１対象項目と任意の第２対象項目との各種複数の連繋状態を利用することで、異なる種類の対象項目や同一の対象項目を自由に組み合わせた多種多様な関係図表を作ることができる。
【０１５０】
この関係図表作成システムおよび関係図表作成方法は、一方向関係線によって対象項目どうしを結ぶことにより、それら対象項目の上下の連携関係の関係付けができるから、関係元と関係先とを明確にした関係図表を作成することができる。関係図表作成システムおよび関係図表作成方法は、双方向関係線によって対象項目どうしを結ぶことにより、それら対象項目の双方向の連繋関係の関係付けができるから、それら対象項目が相互に関係元および関係先になった関係図表を作成することができる。また、回帰関係線によって対象項目自体を結ぶことにより、その対象項目の自己に回帰する連繋関係の関係付けができるから、対象項目が自己に帰する関係を表示した関係図表を作成することができる。
【図面の簡単な説明】
【０１５１】
【図１】関係図表作成方法を実行する一例として示す関係図表作成システムの構成図。
【図２】コンピュータのディスプレイに表示されたこのシステムのメイン画面の一例を示す図。
【図３】対象項目データや関係内容データ、連繋データを選択するＤＢメンテナンス画面の一例を示す図。
【図４】対象項目データファイルに対象項目データを格納する対象項目データの設定画面の一例を示す図。
【図５】対象項目データに関する基本データの追加画面の一例を示す図。
【図６】対象項目データに関するテキストデータの追加画面の一例を示す図。
【図７】対象項目データに関する数値データの追加画面の一例を示す図。
【図８】シェイプ設定画面の一例を示す図。
【図９】ステンシルとシェイプの選択画面の一例を示す図。
【図１０】画像ファイルの選択画面の一例を示す図。
【図１１】対象項目データが入力された後の対象項目データ設定画面の一例を示す図。
【図１２】対象項目データファイルに格納された基本データを変更する基本データ変更画面の一例を示す図。
【図１３】対象項目データファイルに格納された各種データを削除する場合の対象項目データ設定画面の一例を示す図。
【図１４】関係内容データファイルに関係内容データを格納する関係内容設定画面の一例を示す図。
【図１５】関係内容データに関する基本データの追加画面の一例を示す図。
【図１６】関係内容データに関するテキストデータの追加画面の一例を示す図。
【図１７】関係内容データに関する数値データの追加画面の一例を示す図。
【図１８】関係内容データが入力された後の関係内容データ設定画面の一例を示す図。
【図１９】関係内容データファイルに格納された基本データを変更する基本データ変更画面の一例を示す図。
【図２０】関係内容データファイルに格納された各種データを削除する場合の関係内容データ設定画面の一例を示す図。
【図２１】連繋データファイルに連繋データを格納する連繋データ設定画面の一例を示す図。
【図２２】連繋データに関する基本データの追加画面の一例を示す図。
【図２３】連繋データに関するテキストデータの追加画面の一例を示す図。
【図２４】連繋データに関する数値データの追加画面の一例を示す図。
【図２５】連繋データが入力された後の連繋データ設定画面の一例を示す図。
【図２６】連繋データファイルに格納された基本データを変更する変更画面の一例を示す図。
【図２７】連繋データファイルに格納された連繋データの各種データを削除する場合の連繋データ設定画面の一例を示す図。
【図２８】ＣＳＶファイル（Comma  Separated  Values）作成画面の一例を示す図。
【図２９】ＣＳＶファイル作成の基礎となる関係図表の一例を示す図。
【図３０】すべての枝について作成されたＣＳＶファイルの一例を示す図。
【図３１】２つの対象間に存在するすべてのパスについて作成されたＣＳＶファイルの一例を示す図。
【図３２】対象ごとの直接関係数についてのＣＳＶファイルの一例を示す図。
【図３３】対象ごとの直接関係名称についてのＣＳＶファイルの一例を示す図。
【図３４】システムによって作成された関係図表の一例を示す図。
【図３５】システムによって作成された関係図表の一例を示す図。
【図３６】作成された関係図表から対象項目情報を表示させた場合の表示画面の一例を示す図。
【図３７】作成された関係図表から関係内容情報を表示させた場合の表示画面の一例を示す図。
【図３８】作成された関係図表から連繋情報を表示させた場合の表示画面の一例を示す図。
【図３９】関係図表作成時の第１の規則の説明図。
【図４０】第１の規則によって作成された関係図表の一例を示す図。
【図４１】関係図表作成時の第２の規則の説明図。
【図４２】第２の規則によって作成された関係図表の一例を示す図。
【図４３】関係図表作成時の第３の規則の説明図。
【図４４】第３の規則によって作成された関係図表の一例を示す図。
【図４５】関係図表作成時の第４の規則によって作成された関係図表の一例を示す図。
【符号の説明】
【０１５２】
１０    コンピュータ
１１    中央処理部
１２    メモリ
１３    ハードディスク
１４    入力装置
１５    出力装置
１７    対象項目データファイル
１８    関係内容データファイル
１９    連繋データファイル
２０    関係図表データファイル
【図１】
2009140203.tif 000003
【図２】
2009140203.tif 000004
【図３】
2009140203.tif 000005
【図４】
2009140203.tif 000006
【図５】
2009140203.tif 000007
【図６】
2009140203.tif 000008
【図７】
2009140203.tif 000009
【図８】
2009140203.tif 000010
【図９】
2009140203.tif 000011
【図１０】
2009140203.tif 000012
【図１１】
2009140203.tif 000013
【図１２】
2009140203.tif 000014
【図１３】
2009140203.tif 000015
【図１４】
2009140203.tif 000016
【図１５】
2009140203.tif 000017
【図１６】
2009140203.tif 000018
【図１７】
2009140203.tif 000019
【図１８】
2009140203.tif 000020
【図１９】
2009140203.tif 000021
【図２０】
2009140203.tif 000022
【図２１】
2009140203.tif 000023
【図２２】
2009140203.tif 000024
【図２３】
2009140203.tif 000025
【図２４】
2009140203.tif 000026
【図２５】
2009140203.tif 000027
【図２６】
2009140203.tif 000028
【図２７】
2009140203.tif 000029
【図２８】
2009140203.tif 000030
【図２９】
2009140203.tif 000031
【図３０】
2009140203.tif 000032
【図３１】
2009140203.tif 000033
【図３２】
2009140203.tif 000034
【図３３】
2009140203.tif 000035
【図３４】
2009140203.tif 000036
【図３５】
2009140203.tif 000037
【図３６】
2009140203.tif 000038
【図３７】
2009140203.tif 000039
【図３８】
2009140203.tif 000040
【図３９】
2009140203.tif 000041
【図４０】
2009140203.tif 000042
【図４１】
2009140203.tif 000043
【図４２】
2009140203.tif 000044
【図４３】
2009140203.tif 000045
【図４４】
2009140203.tif 000046
【図４５】
2009140203.tif 000047